(57)【要約】  本願の実施例は非ライセンススペクトル通信の面で通信の柔軟性を向上させることのできる非ライセンススペクトルのための無線通信方法及び装置を提供する。該方法は、第１端末装置が前記第１端末装置の取得したチャネル占有期間（ＣＯＴ）内の第１伝送機会で、ネットワーク装置に第１指示情報を送信することを含み、前記ＣＯＴ内に第２伝送機会及び第３伝送機会が含まれ、前記第１指示情報は前記ネットワーク装置が前記ＣＯＴ内の第２伝送機会を決定することに用いられる。
2021523647.tif 000002
【特許請求の範囲】
【請求項１】
非ライセンススペクトルのための無線通信方法であって、
第１端末装置が前記第１端末装置の取得したチャネル占有期間（ＣＯＴ）内の第１伝送機会で、ネットワーク装置に第１指示情報を送信することを含み、
前記ＣＯＴ内に第２伝送機会及び第３伝送機会が含まれ、前記第１指示情報は前記ネットワーク装置が前記ＣＯＴ内の第２伝送機会を決定することに用いられることを特徴とする非ライセンススペクトルのための無線通信方法。
【請求項２】
前記第２伝送機会は、前記ネットワーク装置が前記第１端末装置又は第２端末装置に伝送した伝送機会であり、及び／又は、
前記第３伝送機会は、前記第１端末装置又は前記第２端末装置が前記ネットワーク装置に伝送した伝送機会であることを特徴とする請求項１に記載の方法。
【請求項３】
前記第１端末装置と前記第２端末装置は、同じ疑似コロケーション（ＱＣＬ）仮定を有することを特徴とする請求項２に記載の方法。
【請求項４】
前記第２伝送機会内に伝送されるチャネルは、物理ダウンリンク共有チャネル（ＰＤＳＣＨ）を含むことを特徴とする請求項１〜３のいずれか１項に記載の方法。
【請求項５】
前記第３伝送機会は、ハイブリッド自動再送要求肯定応答（ＨＡＲＱ−ＡＣＫ）情報、ランダムアクセスシーケンス、スケジューリング要求、サウンディング参照信号、チャネル状態情報のうちの少なくとも１つを送信することに用いられることを特徴とする請求項４に記載の方法。
【請求項６】
前記第３伝送機会はＨＡＲＱ−ＡＣＫ情報を送信することに用いられ、前記ＨＡＲＱ−ＡＣＫ情報は前記ＰＤＳＣＨに対応するＨＡＲＱ−ＡＣＫ情報を含むことを特徴とする請求項５に記載の方法。
【請求項７】
前記第２伝送機会内に伝送されるチャネルがＰＤＳＣＨを含む場合、前記第３伝送機会は第１プリセット時間長さ以下であることを特徴とする請求項１〜６のいずれか１項に記載の方法。
【請求項８】
前記第２伝送機会は、初期アクセス過程における制御情報、ランダムアクセス過程における制御情報、モビリティ管理のための制御情報、ページングメッセージ、参照信号、端末装置特有のＰＤＣＣＨ、スイッチング命令、共有ＰＤＣＣＨ、ショートメッセージページング、ＳＳＢ、ダウンリンクフィードバック指示情報のうちの少なくとも１つを送信することに用いられることを特徴とする請求項１〜３のいずれか１項に記載の方法。
【請求項９】
前記第２伝送機会内に伝送されるチャネルはユニキャストＰＤＳＣＨを含まないことを特徴とする請求項１、２、３、８のいずれか１項に記載の方法。
【請求項１０】
前記第２伝送機会の時間長さは第２プリセット時間長さ以下であることを特徴とする請求項１、２、３、８、９のいずれか１項に記載の方法。
【請求項１１】
前記第３伝送機会内に伝送されるチャネルは、物理アップリンク共有チャネル（ＰＵＳＣＨ）を含むことを特徴とする請求項１〜１０のいずれか１項に記載の方法。
【請求項１２】
前記第１伝送機会内に伝送される情報は、前記第１端末装置に対してアップリンクデータスケジューリングを行うように前記ネットワーク装置に要求するための第２指示情報を含むことを特徴とする請求項１〜１１のいずれか１項に記載の方法。
【請求項１３】
前記方法は更に、
前記ネットワーク装置から送信された、前記第１端末装置によるアップリンクデータ伝送をスケジューリングするための第３指示情報を、前記第１端末装置は前記第２伝送機会内に受信することを含むことを特徴とする請求項１２に記載の方法。
【請求項１４】
前記第１指示情報は、前記第２伝送機会のチャネルアクセススキーム、前記第２伝送機会の開始位置、前記第２伝送機会の長さ、前記第１伝送機会の終了位置、前記ＣＯＴの終了位置、前記第１伝送機会において伝送されるチャネル又は信号のＱＣＬ関係、前記第１伝送機会の終了位置と前記第２伝送機会の開始位置との間のギャップのうちの少なくとも１つを決定することに用いられることを特徴とする請求項１〜１３のいずれか１項に記載の方法。
【請求項１５】
前記第２伝送機会内に伝送される情報は第４指示情報を含み、前記第４指示情報は、前記第３伝送機会のチャネルアクセススキーム、前記第３伝送機会の開始位置、前記第３伝送機会の長さ、前記第２伝送機会の終了位置、前記ＣＯＴの終了位置のうちの少なくとも１つを決定することに用いられることを特徴とする請求項１〜１４のいずれか１項に記載の方法。
【請求項１６】
非ライセンススペクトルのための無線通信方法であって、
第１装置が前記第１装置の取得したチャネル占有期間（ＣＯＴ）内の第１伝送機会で、第２装置に第１指示情報を送信することを含み、
前記第１指示情報は、前記第１装置が前記ＣＯＴ内のリソースを共有するかどうかのこと、前記ＣＯＴ内の第２伝送機会のチャネルアクセススキーム、前記第１伝送機会の終了位置、前記第２伝送機会の開始位置、前記第２伝送機会の長さ、前記ＣＯＴの終了位置又は残存長さ、前記第１伝送機会において伝送されるチャネル又は信号のＱＣＬ関係、前記第２伝送機会においての伝送対象のチャネル又は信号のＱＣＬ関係、前記第１伝送機会の終了位置と前記第２伝送機会の開始位置との間のギャップのうちの少なくとも１つを決定することに用いられることを特徴とする非ライセンススペクトルのための無線通信方法。
【請求項１７】
前記第１指示情報はアップリンク制御情報（ＵＣＩ）又は復調参照信号に含まれることを特徴とする請求項１６に記載の方法。
【請求項１８】
前記第１指示情報が復調参照信号に含まれる場合、前記方法は更に、
前記第１装置は前記第１指示情報で搬送する必要がある情報内容に基づいて、複数の復調参照信号から前記第１指示情報を搬送するための復調参照信号を選択することを含むことを特徴とする請求項１７に記載の方法。
【請求項１９】
前記ＵＣＩ又は前記復調参照信号は前記第１装置の送信したＰＵＳＣＨの付随ＵＣＩ又は復調参照信号であり、前記ＰＵＳＣＨは前記第１伝送機会において伝送されることを特徴とする請求項１７又は１８に記載の方法。
【請求項２０】
前記第１装置が端末装置であり、前記第２装置がネットワーク装置であり、又は、
前記第１装置が端末装置であり、前記第２装置が端末装置であることを特徴とする請求項１６〜１９のいずれか１項に記載の方法。
【請求項２１】
非ライセンススペクトルにおけるチャネル検出方法であって、
非ライセンススペクトルにおける第１検出時間長さ内にチャネル検出を行うことを含み、
前記第１検出時間長さは１６マイクロ秒を超えて２５マイクロ秒以下であり、前記第１検出時間長さは少なくとも１つの検出スロットを含み、前記検出スロットは前記第１検出時間長さの先端又は末端に位置することを特徴とする非ライセンススペクトルにおけるチャネル検出方法。
【請求項２２】
前記方法は更に、
前記第１検出時間長さに基づいて、前記検出スロットの数、前記検出スロットの長さ及び前記検出スロットの位置のうちの少なくとも１つを決定することを含むことを特徴とする請求項２１に記載の方法。
【請求項２３】
前記少なくとも１つの検出スロットは前記第１検出時間長さの先端に位置する第１検出スロットを含むことを特徴とする請求項２１又は２２に記載の方法。
【請求項２４】
前記少なくとも１つの検出スロットは前記第１検出時間長さの末端に位置する第２検出スロットを含むことを特徴とする請求項２１又は２２に記載の方法。
【請求項２５】
前記少なくとも１つの検出スロットは前記第１検出時間長さの先端及び末端に位置する第１検出スロット及び第２検出スロットを含み、
前記第１検出スロットの長さは９マイクロ秒であり、前記第２検出スロットの長さは９マイクロ秒であることを特徴とする請求項２１又は２２に記載の方法。
【請求項２６】
前記少なくとも１つの検出スロットは前記第１検出時間長さの先端及び末端に位置する第１検出スロット及び第２検出スロットを含み、
前記第１検出スロットの長さは８マイクロ秒であり、前記第２検出スロットの長さは８マイクロ秒であることを特徴とする請求項２１又は２２に記載の方法。
【請求項２７】
前記少なくとも１つの検出スロットは前記第１検出時間長さの先端及び末端に位置する第１検出スロット及び第２検出スロットを含み、
前記第１検出スロットの長さは８マイクロ秒であり、前記第２検出スロットの長さは９マイクロ秒であることを特徴とする請求項２１又は２２に記載の方法。
【請求項２８】
前記少なくとも１つの検出スロットは前記第１検出時間長さの先端及び末端に位置する第１検出スロット及び第２検出スロットを含み、
前記第１検出スロットの長さは９マイクロ秒であり、前記第２検出スロットの長さは８マイクロ秒であることを特徴とする請求項２１又は２２に記載の方法。
【請求項２９】
前記第１検出時間長さは１８マイクロ秒以上２５マイクロ秒以下であることを特徴とする請求項２５〜２８のいずれか１項に記載の方法。
【請求項３０】
前記第１検出時間長さは１７マイクロ秒以上１８マイクロ秒未満であることを特徴とする請求項２６〜２８のいずれか１項に記載の方法。
【請求項３１】
前記第１検出時間長さは１６マイクロ秒を超えて１７マイクロ秒未満であることを特徴とする請求項２６に記載の方法。
【請求項３２】
非ライセンススペクトルのための無線通信方法であって、
ネットワーク装置は第１端末装置から送信された、前記第１端末装置の取得したチャネル占有期間（ＣＯＴ）内の第１伝送機会において伝送される第１指示情報を受信することを含み、
前記ＣＯＴ内に第２伝送機会及び第３伝送機会が含まれ、前記第１指示情報は前記ネットワーク装置が前記ＣＯＴ内の第２伝送機会を決定することに用いられることを特徴とする非ライセンススペクトルのための無線通信方法。
【請求項３３】
前記第２伝送機会は前記ネットワーク装置が前記第１端末装置又は第２端末装置に伝送した伝送機会であり、及び／又は、
前記第３伝送機会は前記第１端末装置又は前記第２端末装置が前記ネットワーク装置に伝送した伝送機会であることを特徴とする請求項３２に記載の方法。
【請求項３４】
前記第１端末装置と前記第２端末装置は、同じ疑似コロケーション（ＱＣＬ）仮定を有することを特徴とする請求項３３に記載の方法。
【請求項３５】
前記第２伝送機会内に伝送されるチャネルは、物理ダウンリンク共有チャネル（ＰＤＳＣＨ）を含むことを特徴とする請求項３２〜３４のいずれか１項に記載の方法。
【請求項３６】
前記第３伝送機会は、ハイブリッド自動再送要求肯定応答（ＨＡＲＱ−ＡＣＫ）情報、ランダムアクセスシーケンス、スケジューリング要求、サウンディング参照信号、チャネル状態情報のうちの少なくとも１つを送信することに用いられることを特徴とする請求項３５に記載の方法。
【請求項３７】
前記第３伝送機会はＨＡＲＱ−ＡＣＫ情報を送信することに用いられ、前記ＨＡＲＱ−ＡＣＫ情報は前記ＰＤＳＣＨに対応するＨＡＲＱ−ＡＣＫ情報を含むことを特徴とする請求項３６に記載の方法。
【請求項３８】
前記第２伝送機会内に伝送されるチャネルがＰＤＳＣＨを含む場合、前記第３伝送機会は第１プリセット時間長さ以下であることを特徴とする請求項３２〜３７のいずれか１項に記載の方法。
【請求項３９】
前記第２伝送機会は、初期アクセス過程における制御情報、ランダムアクセス過程における制御情報、モビリティ管理のための制御情報、ページングメッセージ、参照信号、端末装置特有のＰＤＣＣＨ、スイッチング命令、共有ＰＤＣＣＨ、ショートメッセージページング、ＳＳＢ、ダウンリンクフィードバック指示情報のうちの少なくとも１つを送信することに用いられることを特徴とする請求項３２〜３４のいずれか１項に記載の方法。
【請求項４０】
前記第２伝送機会内に伝送されるチャネルはユニキャストＰＤＳＣＨを含まないことを特徴とする請求項３２、３３、３４、３９のいずれか１項に記載の方法。
【請求項４１】
前記第２伝送機会の時間長さは第２プリセット時間長さ以下であることを特徴とする請求項３２、３３、３４、３９、４０のいずれか１項に記載の方法。
【請求項４２】
前記第３伝送機会内に伝送されるチャネルは、物理アップリンク共有チャネル（ＰＵＳＣＨ）を含むことを特徴とする請求項３２〜４１のいずれか１項に記載の方法。
【請求項４３】
前記第１伝送機会内に伝送される情報は、前記第１端末装置に対してアップリンクデータスケジューリングを行うように前記ネットワーク装置に要求するための第２指示情報を含むことを特徴とする請求項３２〜４２のいずれか１項に記載の方法。
【請求項４４】
前記方法は更に、
前記第１端末装置によるアップリンクデータ伝送をスケジューリングするための第３指示情報を、前記ネットワーク装置は前記第２伝送機会内に前記第１端末装置に送信することを含むことを特徴とする請求項４３に記載の方法。
【請求項４５】
前記第１指示情報は、前記第２伝送機会のチャネルアクセススキーム、前記第２伝送機会の開始位置、前記第２伝送機会の長さ、前記第１伝送機会の終了位置、前記ＣＯＴの終了位置、前記第１伝送機会において伝送されるチャネル又は信号のＱＣＬ関係、前記第１伝送機会の終了位置と前記第２伝送機会の開始位置との間のギャップのうちの少なくとも１つを決定することに用いられることを特徴とする請求項３２〜４４のいずれか１項に記載の方法。
【請求項４６】
前記第２伝送機会内に伝送される情報は第４指示情報を含み、前記第４指示情報は、前記第３伝送機会のチャネルアクセススキーム、前記第３伝送機会の開始位置、前記第３伝送機会の長さ、前記第２伝送機会の終了位置、前記ＣＯＴの終了位置のうちの少なくとも１つを決定することに用いられることを特徴とする請求項３２〜４５のいずれか１項に記載の方法。
【請求項４７】
非ライセンススペクトルのための無線通信方法であって、
第２装置は第１装置から送信された、前記第１装置が前記第１装置の取得したチャネル占有期間（ＣＯＴ）内の第１伝送機会で送信した第１指示情報を受信することを含み、
前記第１指示情報は、前記第１装置が前記ＣＯＴ内のリソースを共有するかどうかのこと、前記ＣＯＴ内の第２伝送機会のチャネルアクセススキーム、前記第１伝送機会の終了位置、前記第２伝送機会の開始位置、前記第２伝送機会の長さ、前記ＣＯＴの終了位置又は残存長さ、前記第１伝送機会において伝送されるチャネル又は信号のＱＣＬ関係、前記第２伝送機会においての伝送対象のチャネル又は信号のＱＣＬ関係、前記第１伝送機会の終了位置と前記第２伝送機会の開始位置との間のギャップのうちの少なくとも１つを決定することに用いられることを特徴とする非ライセンススペクトルのための無線通信方法。
【請求項４８】
前記第１指示情報はアップリンク制御情報（ＵＣＩ）又は復調参照信号に含まれることを特徴とする請求項４７に記載の方法。
【請求項４９】
前記第１指示情報が復調参照信号に含まれる場合、前記方法は更に、
前記第１装置は前記第１指示情報を含む復調参照信号に基づいて、複数の情報集合から、前記第１指示情報で示される情報を含む情報集合を選択することを含むことを特徴とする請求項４８に記載の方法。
【請求項５０】
前記ＵＣＩ又は前記復調参照信号は前記第１装置の送信したＰＵＳＣＨの付随ＵＣＩ又は復調参照信号であり、前記ＰＵＳＣＨは前記第１伝送機会において伝送されることを特徴とする請求項４８又は４９に記載の方法。
【請求項５１】
前記第１装置が端末装置であり、前記第２装置がネットワーク装置であり、又は、
前記第１装置が端末装置であり、前記第２装置が端末装置であることを特徴とする請求項４７〜５０のいずれか１項に記載の方法。
【請求項５２】
非ライセンススペクトルのための端末装置であって、
前記端末装置の取得したチャネル占有期間（ＣＯＴ）内の第１伝送機会でネットワーク装置に第１指示情報を送信することに用いられる通信ユニットを備え、
前記ＣＯＴ内に第２伝送機会及び第３伝送機会が含まれ、前記第１指示情報は前記ネットワーク装置が前記ＣＯＴ内の第２伝送機会を決定することに用いられることを特徴とする非ライセンススペクトルのための端末装置。
【請求項５３】
非ライセンススペクトルのための通信装置であって、
前記通信装置の取得したチャネル占有期間（ＣＯＴ）内の第１伝送機会で第２装置に第１指示情報を送信することに用いられる通信ユニットを備え、
前記第１指示情報は、前記通信装置が前記ＣＯＴ内のリソースを共有するかどうかのこと、前記ＣＯＴ内の第２伝送機会のチャネルアクセススキーム、前記第１伝送機会の終了位置、前記第２伝送機会の開始位置、前記第２伝送機会の長さ、前記ＣＯＴの終了位置又は残存長さ、前記第１伝送機会において伝送されるチャネル又は信号のＱＣＬ関係、前記第２伝送機会においての伝送対象のチャネル又は信号のＱＣＬ関係、前記第１伝送機会の終了位置と前記第２伝送機会の開始位置との間のギャップのうちの少なくとも１つを決定することに用いられることを特徴とする非ライセンススペクトルのための通信装置。
【請求項５４】
非ライセンススペクトルのための通信装置であって、
非ライセンススペクトルにおける第１検出時間長さ内にチャネル検出を行うことに用いられる通信ユニットを備え、
前記第１検出時間長さは１６マイクロ秒を超えて２５マイクロ秒以下であり、前記第１検出時間長さは少なくとも１つの検出スロットを含み、前記検出スロットは前記第１検出時間長さの先端又は末端に位置することを特徴とする非ライセンススペクトルのための通信装置。
【請求項５５】
非ライセンススペクトルのためのネットワーク装置であって、
第１端末装置から送信された、前記第１端末装置の取得したチャネル占有期間（ＣＯＴ）内の第１伝送機会において伝送される第１指示情報を受信することに用いられる通信ユニットを備え、
前記ＣＯＴ内に第２伝送機会及び第３伝送機会が含まれ、前記第１指示情報は前記ネットワーク装置が前記ＣＯＴ内の第２伝送機会を決定することに用いられることを特徴とする非ライセンススペクトルのためのネットワーク装置。
【請求項５６】
非ライセンススペクトルのための通信装置であって、
第１装置から送信された、前記第１装置が前記第１装置の取得したチャネル占有期間（ＣＯＴ）内の第１伝送機会で送信した第１指示情報を受信することに用いられる通信ユニットを備え、
前記第１指示情報は、前記第１装置が前記ＣＯＴ内のリソースを共有するかどうかのこと、前記ＣＯＴ内の第２伝送機会のチャネルアクセススキーム、前記第１伝送機会の終了位置、前記第２伝送機会の開始位置、前記第２伝送機会の長さ、前記ＣＯＴの終了位置又は残存長さ、前記第１伝送機会において伝送されるチャネル又は信号のＱＣＬ関係、前記第２伝送機会においての伝送対象のチャネル又は信号のＱＣＬ関係、前記第１伝送機会の終了位置と前記第２伝送機会の開始位置との間のギャップのうちの少なくとも１つを決定することに用いられることを特徴とする非ライセンススペクトルのための通信装置。
【請求項５７】
通信装置であって、
コンピュータプログラムを記憶することに用いられるメモリと、
前記メモリに記憶されるコンピュータプログラムを呼び出して実行して、請求項１〜５１のいずれか１項に記載の方法を実行することに用いられるプロセッサと、を備えることを特徴とする通信装置。
【請求項５８】
チップであって、
メモリからコンピュータプログラムを呼び出して実行して、前記チップを取り付ける装置に請求項１〜５１のいずれか１項に記載の方法を実行させることに用いられるプロセッサを備えることを特徴とするチップ。
【請求項５９】
コンピュータプログラムを記憶することに用いられ、前記コンピュータプログラムによってコンピュータが請求項１〜５１のいずれか１項に記載の方法を実行することを特徴とするコンピュータ可読記憶媒体。
【請求項６０】
コンピュータプログラム命令を含み、該コンピュータプログラム命令によってコンピュータが請求項１〜５１のいずれか１項に記載の方法を実行することを特徴とするコンピュータプログラム製品。
【請求項６１】
コンピュータに請求項１〜５１のいずれか１項に記載の方法を実行させることを特徴とするコンピュータプログラム。
【発明の詳細な説明】
【技術分野】
【０００１】
本願の実施例は通信技術分野に関し、具体的に非ライセンススペクトルのための無線通信方法及び装置に関する。
【背景技術】
【０００２】
非ライセンススペクトルは国家と地区が区分した無線機器の通信に使用可能なスペクトルであり、該スペクトルは一般的に共有スペクトルと見なされ、即ち異なる通信システムにおける通信装置は、国家又は地区が該スペクトルにおいて設定した法規の要件を満たし、該スペクトルを使用してもよく、政府に専有のスペクトル使用許諾を申請しなくてもよい。
【０００３】
通信技術の発展に伴って、通信の柔軟性への要件が高まっている。
【０００４】
非ライセンススペクトル通信の面でどのように通信の柔軟性を向上させるかは早急な解決の待たれる問題である。
【発明の概要】
【発明が解決しようとする課題】
【０００５】
本願の実施例は、非ライセンススペクトル通信の面で通信の柔軟性を向上させることのできる非ライセンススペクトルのための無線通信方法及び装置を提供する。
【課題を解決するための手段】
【０００６】
第１態様では非ライセンススペクトルのための通信方法を提供し、第１端末装置が前記第１端末装置の取得したチャネル占有期間（ＣＯＴ）内の第１伝送機会で、ネットワーク装置に第１指示情報を送信することを含み、前記ＣＯＴ内に第２伝送機会及び第３伝送機会が含まれ、前記第１指示情報は前記ネットワーク装置が前記ＣＯＴ内の第２伝送機会を決定することに用いられる。
【０００７】
該解決手段において、第１端末装置の取得したＣＯＴ内に第１伝送機会、第２伝送機会及び第３伝送機会が含まれてもよく、第１端末装置は第１伝送機会で指示情報を送信することにより、ネットワーク装置が第２伝送機会を決定するようにすることができ、ネットワーク装置が第２伝送機会を共有でき、更に第３伝送機会を含み、それによりＣＯＴにおける伝送リソースが柔軟に使用されるようにし、伝送リソースの浪費を回避し、伝送リソースを最大限に利用することができる。
【０００８】
第２態様では非ライセンススペクトルのための無線通信方法を提供し、第１装置が前記第１装置の取得したチャネル占有期間（ＣＯＴ）内の第１伝送機会で第２装置に第１指示情報を送信することを含み、前記第１指示情報は、前記第１装置が前記ＣＯＴ内のリソースを共有するかどうかのこと、前記ＣＯＴ内の第２伝送機会のチャネルアクセススキーム、前記第１伝送機会の終了位置、前記第２伝送機会の開始位置、前記第２伝送機会の長さ、前記ＣＯＴの終了位置又は残存長さ、前記第１伝送機会において伝送されるチャネル又は信号のＱＣＬ関係、前記第２伝送機会においての伝送対象のチャネル又は信号のＱＣＬ関係、前記第１伝送機会の終了位置と前記第２伝送機会の開始位置との間のギャップのうちの少なくとも１つを決定することに用いられる。
【０００９】
該解決手段において、第１装置は前記第１装置の取得したチャネル占有期間（ＣＯＴ）内の第１伝送機会で第２装置に第１指示情報を送信し、前記第１指示情報は、前記第１装置が前記ＣＯＴ内のリソースを共有するかどうかのこと、前記ＣＯＴ内の第２伝送機会のチャネルアクセススキーム、前記第１伝送機会の終了位置、前記第２伝送機会の開始位置、前記第２伝送機会の長さ、前記ＣＯＴの終了位置又は残存長さ、前記第１伝送機会において伝送されるチャネル又は信号のＱＣＬ関係、前記第２伝送機会においての伝送対象のチャネル又は信号のＱＣＬ関係、前記第１伝送機会の終了位置と前記第２伝送機会の開始位置との間のギャップのうちの少なくとも１つを決定することに用いられ、該第１装置は該第１指示情報により第２伝送機会においての伝送を実現することができ、それによりＣＯＴにおける伝送リソースが柔軟に使用されるようにし、伝送リソースの浪費を回避し、伝送リソースを最大限に利用することができる。
【００１０】
第３態様では非ライセンススペクトルにおけるチャネル検出方法を提供し、非ライセンススペクトルにおける第１検出時間長さ内にチャネル検出を行うことを含み、前記第１検出時間長さは１６マイクロ秒を超えて２５マイクロ秒以下であり、前記第１検出時間長さは少なくとも１つの検出スロットを含み、前記検出スロットは前記第１検出時間長さの先端又は末端に位置する。
【００１１】
該解決手段において、前記第１検出時間長さが１６マイクロ秒を超えて２５マイクロ秒以下である場合、第１検出時間長さの先端又は末端の少なくとも１つの検出スロットにおいて検出してもよく、長さが１６マイクロ秒を超えて２５マイクロ秒以下の検出時間長さの検出を実現する。
【００１２】
第４態様では非ライセンススペクトルのための無線通信方法を提供し、ネットワーク装置は第１端末装置から送信された、前記第１端末装置の取得したチャネル占有期間（ＣＯＴ）内の第１伝送機会において伝送される第１指示情報を受信することを含み、前記ＣＯＴ内に第２伝送機会及び第３伝送機会が含まれ、前記第１指示情報は前記ネットワーク装置が前記ＣＯＴ内の第２伝送機会を決定することに用いられる。
【００１３】
第５態様では非ライセンススペクトルのための無線通信方法を提供し、第２装置は第１装置から送信された、前記第１装置が前記第１装置の取得したチャネル占有期間（ＣＯＴ）内の第１伝送機会で送信した第１指示情報を受信することを含み、前記第１指示情報は、前記第１装置が前記ＣＯＴ内のリソースを共有するかどうかのこと、前記ＣＯＴ内の第２伝送機会のチャネルアクセススキーム、前記第１伝送機会の終了位置、前記第２伝送機会の開始位置、前記第２伝送機会の長さ、前記ＣＯＴの終了位置又は残存長さ、前記第１伝送機会において伝送されるチャネル又は信号のＱＣＬ関係、前記第２伝送機会においての伝送対象のチャネル又は信号のＱＣＬ関係、前記第１伝送機会の終了位置と前記第２伝送機会の開始位置との間のギャップのうちの少なくとも１つを決定することに用いられる。
【００１４】
第６態様では通信装置を提供し、上記第１態様〜第５態様のうちのいずれか１つの態様における方法を実行することに用いられる。
【００１５】
具体的に、該通信装置は上記第１態様〜第５態様のうちのいずれか１つの態様における方法を実行するための機能モジュールを備える。
【００１６】
第７態様では通信装置を提供し、プロセッサ及びメモリを備える。該メモリはコンピュータプログラムを記憶することに用いられ、該プロセッサは該メモリに記憶されるコンピュータプログラムを呼び出して実行して、上記第１態様〜第５態様のうちのいずれか１つの態様における方法を実行することに用いられる。
【００１７】
第８態様ではチップを提供し、上記第１態様〜第５態様のうちのいずれか１つの態様における方法を実現することに用いられる。
【００１８】
具体的に、該チップは、メモリからコンピュータプログラムを呼び出して実行して、該チップを取り付ける装置に上記第１態様〜第５態様のうちのいずれか１つの態様における方法を実行させるためのプロセッサを備える。
【００１９】
第９態様ではコンピュータ可読記憶媒体を提供し、コンピュータプログラムを記憶することに用いられ、該コンピュータプログラムによってコンピュータが上記第１態様〜第５態様のうちのいずれか１つの態様における方法を実行する。
【００２０】
第１０態様ではコンピュータプログラム製品を提供し、コンピュータプログラム命令を含み、該コンピュータプログラム命令によってコンピュータが上記第１態様〜第５態様のうちのいずれか１つの態様における方法を実行する。
【００２１】
第１１態様ではコンピュータプログラムを提供し、コンピュータにおいて実行されるとき、コンピュータが上記第１態様〜第５態様のいずれか１つの態様又はその各実現方式における方法を実行する。
【図面の簡単な説明】
【００２２】
【図１】図１は本願の実施例に係る通信システムアーキテクチャの模式図である。
【図２】図２は本願の実施例に係るＣＯＴ内の通信過程の模式図である。
【図３】図３は本願の実施例に係る非ライセンススペクトルのための通信方法の模式的なフローチャートである。
【図４】図４は本願の実施例に係るＣＯＴ内の通信過程の模式図である。
【図５】図５は本願の実施例に係るＣＯＴ内の通信過程の模式図である。
【図６】図６は本願の実施例に係るＣＯＴ内の通信過程の模式図である。
【図７】図７は本願の実施例に係るＣＯＴ内の通信過程の模式図である。
【図８】図８は本願の実施例に係る非ライセンススペクトルのための無線通信方法の模式的なフローチャートである。
【図９】図９は本願の実施例に係る非ライセンススペクトルのための無線通信方法の模式的なフローチャートである。
【図１０】図１０は本願の実施例に係るチャネル検出時間長さの模式図である。
【図１１】図１１は本願の実施例に係る通信装置の模式的なブロック図である。
【図１２】図１２は本願の実施例に係る通信装置の模式的なブロック図である。
【図１３】図１３は本願の実施例に係る通信装置の模式的なブロック図である。
【図１４】図１４は本願の実施例に係るネットワーク装置の模式的なブロック図である。
【図１５】図１５は本願の実施例に係る通信装置の模式的なブロック図である。
【図１６】図１６は本願の実施例に係る通信装置の模式的なブロック図である。
【図１７】図１７は本願の実施例に係るチップの模式的なブロック図である。
【発明を実施するための形態】
【００２３】
以下、本願の実施例の図面を参照しながら、本願の実施例の技術案を説明し、明らかに、説明される実施例は本願の実施例の一部であり、実施例のすべてではない。本願の実施例に基づいて、当業者が進歩性のある労働を必要とせずに得られる他の実施例は、いずれも本願の保護範囲に属する。
【００２４】
本願の実施例の技術案は様々な通信システム、例えば、モバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）システム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）システム、進化型ロングタームエボリューション（ＬＴＥ−Ａ、Ａｄｖａｎｃｅｄ  ｌｏｎｇ  ｔｅｒｍ  ｅｖｏｌｕｔｉｏｎ）システム、新無線（ＮＲ、Ｎｅｗ  Ｒａｄｉｏ）システム、ＮＲシステムの進化システム、アンライセンススペクトラムにおけるＬＴＥ（ＬＴＥ−Ｕ、ＬＴＥ−ｂａｓｅｄ  ａｃｃｅｓｓ  ｔｏ  ｕｎｌｉｃｅｎｓｅｄ  ｓｐｅｃｔｒｕｍ）システム、アンライセンススペクトラムにおけるＮＲ（ＮＲ−Ｕ、ＮＲ−ｂａｓｅｄ  ａｃｃｅｓｓ  ｔｏ  ｕｎｌｉｃｅｎｓｅｄ  ｓｐｅｃｔｒｕｍ）システム、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、無線ローカルエリアネットワーク（ＷＬＡＮ、Ｗｉｒｅｌｅｓｓ  Ｌｏｃａｌ  Ａｒｅａ  Ｎｅｔｗｏｒｋｓ）、ワイヤレスフィデリティ（ＷｉＦｉ、Ｗｉｒｅｌｅｓｓ  Ｆｉｄｅｌｉｔｙ）、次世代通信システム又は他の通信システム等に適用されてもよい。
【００２５】
一般的には、従来の通信システムのサポートする接続数が限られて実現されやすいが、通信技術の発展に伴って、移動通信システムは従来の通信をサポートするだけでなく、例えば端末間（Ｄ２Ｄ、Ｄｅｖｉｃｅ  ｔｏ  Ｄｅｖｉｃｅ）通信、マシン対マシン（Ｍ２Ｍ、Ｍａｃｈｉｎｅ  ｔｏ  Ｍａｃｈｉｎｅ）通信、マシンタイプ通信（ＭＴＣ、Ｍａｃｈｉｎｅ  Ｔｙｐｅ  Ｃｏｍｍｕｎｉｃａｔｉｏｎ）及び車車間（Ｖ２Ｖ、Ｖｅｈｉｃｌｅ  ｔｏ  Ｖｅｈｉｃｌｅ）通信等もサポートすることとなり、本願の実施例はこれらの通信システムにも適用されてもよい。
【００２６】
例示的に、本願の実施例に適用される通信システム１００は図１に示される。該通信システム１００はネットワーク装置１１０を備えてもよく、ネットワーク装置１１０は端末装置１２０（通信端末、端末とも称される）と通信する装置であってもよい。ネットワーク装置１１０は特定の地理的領域に通信カバレッジを提供することができ、且つ該カバレッジ領域内の端末装置と通信することができる。選択肢として、該ネットワーク装置１１０はＧＳＭシステム又はＣＤＭＡシステムにおける基地局（ＢＴＳ、Ｂａｓｅ  Ｔｒａｎｓｃｅｉｖｅｒ  Ｓｔａｔｉｏｎ）であってもよく、ＷＣＤＭＡシステムにおける基地局（ＮＢ、ＮｏｄｅＢ）であってもよく、ＬＴＥシステムにおける発展型基地局（ｅＮＢ又はｅＮｏｄｅＢ、Ｅｖｏｌｕｔｉｏｎａｌ  Ｎｏｄｅ  Ｂ）であってもよく、又はクラウド無線アクセスネットワーク（ＣＲＡＮ、Ｃｌｏｕｄ  Ｒａｄｉｏ  Ａｃｃｅｓｓ  Ｎｅｔｗｏｒｋ）における無線制御装置であってもよい。又は、該ネットワーク装置は移動交換局、中継局、アクセスポイント、車載装置、ウェアラブル端末、ハブ、スイッチ、ブリッジ、ルーター、５Ｇネットワークにおけるネットワーク側装置又は将来発展する公衆陸上移動網（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【００２７】
該通信システム１００は更にネットワーク装置１１０のカバレッジ範囲内の少なくとも１つの端末装置１２０を備える。ここで使用される「端末装置」としては、有線回線を介して接続するもの、例えば公衆電話交換網（ＰＳＴＮ、Ｐｕｂｌｉｃ  Ｓｗｉｔｃｈｅｄ  Ｔｅｌｅｐｈｏｎｅ  Ｎｅｔｗｏｒｋｓ）、デジタル加入者回線（ＤＳＬ、Ｄｉｇｉｔａｌ  Ｓｕｂｓｃｒｉｂｅｒ  Ｌｉｎｅ）、デジタルケーブル、直接ケーブルを介して接続するもの、及び／又は他のデータ接続／ネットワーク、及び／又は無線インターフェース、例えばセルラーネットワーク、無線ローカルエリアネットワーク（ＷＬＡＮ、Ｗｉｒｅｌｅｓｓ  Ｌｏｃａｌ  Ａｒｅａ  Ｎｅｔｗｏｒｋ）例えばＤＶＢ−Ｈネットワークに対するデジタルテレビネットワーク、衛星ネットワーク、ＡＭ−ＦＭ放送送信機を介するもの、及び／又は他の端末装置が通信信号を送受信するように設定される装置、及び／又はユビキタスネットワーク（ＩｏＴ、Ｉｎｔｅｒｎｅｔ  ｏｆ  Ｔｈｉｎｇｓ）装置を含むが、それらに限らない。無線インターフェースを介して通信するように設定される端末装置は「無線通信端末」、「無線端末」又は「モバイル端末」と称されてもよい。モバイル端末の例は衛星又はセルラー電話、セルラー無線電話及びデータ処理、ファックス及びデータ通信機能を組み合わせることのできるパーソナル移動通信システム（ＰＣＳ、Ｐｅｒｓｏｎａｌ  Ｃｏｍｍｕｎｉｃａｔｉｏｎｓ  Ｓｙｓｔｅｍ）端末、無線電話、ポケットベル、インターネット／イントラネットアクセス、Ｗｅｂブラウザ、メモ帳、カレンダー及び／又は全地球測位システム（ＧＰＳ、Ｇｌｏｂａｌ  Ｐｏｓｉｔｉｏｎｉｎｇ  Ｓｙｓｔｅｍ）受信機を備えてもよいＰＤＡ、及び通常のラップトップ及び／又はパームトップ受信機又は無線電話送受信機を備える他の電子装置を含むが、それらに限らない。端末装置とはアクセス端末、ユーザー装置（ＵＥ、Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、５Ｇネットワークにおける端末装置又は将来発展するＰＬＭＮにおける端末装置等であってもよい。
【００２８】
選択肢として、端末装置１２０同士は装置対装置（Ｄ２Ｄ、Ｄｅｖｉｃｅ  ｔｏ  Ｄｅｖｉｃｅ）通信を行うことができる。
【００２９】
選択肢として、５Ｇシステム又は５Ｇネットワークは更に新無線（ＮＲ、Ｎｅｗ  Ｒａｄｉｏ）システム又はＮＲネットワークと称されてもよい。
【００３０】
図１には１つのネットワーク装置及び２つの端末装置を例示し、選択肢として、該通信システム１００は複数のネットワーク装置を備えてもよく、且つ各ネットワーク装置のカバレッジ範囲内に他の数の端末装置が含まれてもよく、本願の実施例は制限しない。
【００３１】
選択肢として、該通信システム１００は更にネットワーク制御装置、モビリティ管理エンティティ等の他のネットワークエンティティを備えてもよく、本願の実施例は制限しない。
【００３２】
理解されるように、本願の実施例では、ネットワーク／システムにおける通信機能を持つ装置は通信装置と称されてもよい。図１に示される通信システム１００を例とすると、通信装置は通信機能を持つネットワーク装置１１０及び端末装置１２０を備えてもよく、ネットワーク装置１１０と端末装置１２０は以上に記載の具体的な装置であってもよく、ここで詳細な説明は省略する。通信装置は更に通信システム１００における他の装置、例えばネットワーク制御装置、モビリティ管理エンティティ等の他のネットワークエンティティを備えてもよく、本願の実施例は制限しない。
【００３３】
理解されるように、本明細書における用語「システム」と「ネットワーク」は本明細書において常に交換可能に使用される。本明細書における用語「及び／又は」は関連オブジェクトの関連関係を説明するためのものに過ぎず、３つの関係が存在してもよいことを示す。例えば、「Ａ及び／又はＢ」は「Ａが独立して存在する」、「ＡとＢが同時に存在する」、「Ｂが独立して存在する」の３つの状況を示してもよい。また、本明細書における文字「／」は一般的に前後関連オブジェクトが「又は」の関係であることを示す。
【００３４】
本願の実施例の方法は非ライセンススペクトルの通信に適用されてもよく、他の通信シーン、例えばライセンススペクトルの通信シーンに適用されてもよい。
【００３５】
非ライセンススペクトルは国家と地区が区分した無線機器の通信に使用可能なスペクトルであり、該スペクトルは共有スペクトルと見なされてもよく、即ち異なる通信システムにおける通信装置は国家又は地区が該スペクトルに設定した法規の要件を満たせば、該スペクトルを使用してもよく、政府に専有のスペクトル使用許諾を申請しなくてもよい。非ライセンススペクトルを使用して無線通信を行う各通信システムは該スペクトルにおいて共存できるようにするために、通信装置は非ライセンススペクトルにおいて通信を行うとき、リッスンビフォアトーク（ＬＢＴ、Ｌｉｓｔｅｎ  Ｂｅｆｏｒｅ  Ｔａｌｋ）の原則に従うことができ、即ち、通信装置は非ライセンススペクトルのチャネルにおいて信号送信を行う前に、チャネルセンシング（チャネル検出とも称される）を行う必要があり、チャネルセンシング結果がチャネルアイドルでなければ、通信装置は信号送信を行うことができず、通信装置が非ライセンススペクトルにおいてチャネルセンシングを行う結果はチャネルビジーである場合、信号送信を行うことが不可能である。選択肢として、ＬＢＴの帯域幅は２０ＭＨｚ又は２０ＭＨｚの整数倍である。
【００３６】
本願をより明確に理解するために、以下に非ライセンススペクトル通信に応用される概念を説明する。
【００３７】
最大チャネル占有期間（ＭＣＯＴ、Ｍａｘｉｍｕｍ  Ｃｈａｎｎｅｌ  Ｏｃｃｕｐａｎｃｙ  Ｔｉｍｅ）とは、ＬＢＴに成功した後に非ライセンススペクトルのチャネルによる信号伝送を許可する最大時間長さを指してもよく、異なるチャネルアクセススキームには異なるＭＣＯＴがある。ＭＣＯＴの最大値は例えば１０ｍｓであってもよい。理解されるように、該ＭＣＯＴは信号伝送の占有する時間である。
【００３８】
チャネル占有期間（ＣＯＴ、Ｃｈａｎｎｅｌ  Ｏｃｃｕｐａｎｃｙ  Ｔｉｍｅ）とは、ＬＢＴに成功した後に非ライセンススペクトルのチャネルを使用して信号伝送を行う時間長さを指してもよく、該時間長さ内に信号の占有するチャネルは連続しないものであってもよい。１回のＣＯＴは長くとも例えば２０ｍｓを超えず、該ＣＯＴ内の信号伝送の占有する時間長さはＭＣＯＴを超えない。
【００３９】
基地局のチャネル占有期間（ｇＮＢ−ｉｎｉｔｉａｔｅｄ  ＣＯＴ）は、基地局の開始したＣＯＴと称されてもよく、基地局がＬＢＴに成功した後に取得した１回のチャネル占有期間を指す。基地局のチャネル占有期間はダウンリンク伝送に用いられるだけでなく、所定条件でＵＥによるアップリンク伝送にも用いられてもよい。
【００４０】
ＵＥのチャネル占有期間（ＵＥ−ｉｎｉｔｉａｔｅｄ  ＣＯＴ）は、ＵＥの開始したＣＯＴと称されてもよく、ＵＥがＬＢＴに成功した後に取得した１回のチャネル占有期間を指す。
【００４１】
ダウンリンク（ＤＬ、Ｄｏｗｎｌｉｎｋ）伝送機会（ＤＬ  ｂｕｒｓｔ）は、基地局が行う１組のダウンリンク伝送（即ち１つ又は複数のダウンリンク伝送を含む）を意味し、該組のダウンリンク伝送は連続伝送であり（即ち複数のダウンリンク伝送の間にギャップがない）、又は該組のダウンリンク伝送にギャップがあるが、ギャップが特定時間長さ（例えば、１６μｓ）以下である。基地局が行う２つのダウンリンク伝送の間のギャップが該特定時間長さ（例えば、１６μｓ）を超えれば、該２つのダウンリンク伝送が２回のダウンリンク伝送機会に属すると見なされてもよい。
【００４２】
アップリンク（ＵＬ、Ｕｐｌｉｎｋ）伝送機会（ＵＬ  ｂｕｒｓｔ）は、１つのＵＥが行う１組のアップリンク伝送（即ち１つ又は複数のアップリンク伝送を含む）を意味し、該組のアップリンク伝送は連続伝送であり（即ち複数のアップリンク伝送の間にギャップがない）、又は該組のアップリンク伝送にギャップがあるが、ギャップが特定時間長さ（例えば、１６μｓ）以下である。該ＵＥが行う２つのアップリンク伝送の間のギャップが該特定時間長さ（例えば、１６μｓ）を超えれば、該２つのアップリンク伝送が２回のアップリンク伝送機会に属すると見なされてもよい。
【００４３】
本願の実施例では、通信装置は対応するチャネルアクセススキームを用いてＬＢＴ操作を行ってもよい。理解しやすくするために、以下にいくつかのチャネルアクセススキームを説明する。
【００４４】
タイプ１（Ｃａｔ−１  ＬＢＴ）のＬＢＴ
スイッチングギャップ（ｓｗｉｔｃｈｉｎｇ  ｇａｐ）が終了すると直ちに伝送し、即ち、チャネルがアイドルであるかどうかを検出する必要がなく、該タイプ１のチャネルアクセススキームは１つのＣＯＴ内の伝送スイッチングに適用される。該スイッチングギャップは特定時間長さ、例えば１６μｓを超えなくてもよい。
【００４５】
タイプ２（Ｃａｔ−２  ＬＢＴ）のＬＢＴ
ランダムにフォールバックしないＬＢＴと称されてもよく、単回の検出時間内にチャネルがアイドルである場合に信号送信を行うことが可能であり、チャネルが占有された場合に信号送信を行うことが不可能である。
【００４６】
タイプ３（Ｃａｔ−３  ＬＢＴ）のＬＢＴ
一定のコンテンションウィンドウサイズ（ＣＷＳ、Ｃｏｎｔｅｎｔｉｏｎ  Ｗｉｎｄｏｗ  Ｓｉｚｅ）に基づくランダムにフォールバックしたＬＢＴであり、このとき、通信装置はＣＷＳがＣＷｐであることを決定し、ＣＷｐが固定値であり、通信装置はＣＷｐの値に基づいて乱数Ｎを生成し、通信装置は非ライセンススペクトルにおいてチャネル検出を行って、Ｎ個のスロットにおけるチャネル検出に成功した後に信号送信を行ってもよい。
【００４７】
タイプ４（Ｃａｔ−４  ＬＢＴ）のＬＢＴ
可変ＣＷＳに基づくランダムにフォールバックしたＬＢＴであり、このとき、通信装置はＣＷＳがＣＷｐであることを決定し、ＣＷｐが可変値であり、通信装置はＣＷｐの値に基づいて乱数Ｎを生成し、通信装置は非ライセンススペクトルにおいてチャネル検出を行って、Ｎ個のスロットにおけるチャネル検出に成功した後に信号送信を行ってもよい。
【００４８】
上記説明によれば、Ｃａｔ−３  ＬＢＴとＣａｔ−４  ＬＢＴとの相違点は、ＣＷＳが固定値であるか、それとも可変値であるかである。より好適なチャネルアクセススキームはＣａｔ−１  ＬＢＴ、Ｃａｔ−２  ＬＢＴ及びＣａｔ−４  ＬＢＴであってもよい。
【００４９】
また、Ｃａｔ−３  ＬＢＴとＣａｔ−４  ＬＢＴは、伝送サービスの優先度に応じてチャネルアクセススキームの優先度を更に区分してもよい。すなわち、Ｃａｔ−３  ＬＢＴとＣａｔ−４  ＬＢＴはそれぞれ異なるチャネルアクセスサブスキームを有してもよく、異なるチャネルアクセスサブスキームは異なるサービス伝送の優先度に対応してもよい。
【００５０】
異なる伝送シーンに応用されるチャネルアクセススキームも異なるし、異なる信号又はチャネルに応用されるチャネルアクセススキームも異なる。
【００５１】
例えば、基地局がＣＯＴを開始する場合、表１には異なる場合のチャネルアクセススキームを示す。
【００５２】
【表１】
2021523647.tif 000003
【００５３】
選択肢として、サービスに複数種類の優先度のデータ多重化伝送が含まれる場合、チャネルアクセススキーム又は優先度は該複数種類の優先度のうちの最低優先度のデータによって決定される。
【００５４】
選択肢として、非ユニキャストデータとは該データに対して対応のＨＡＲＱ−ＡＣＫ情報、例えばＯＳＩを伝送するＰＤＳＣＨ等をフィードバックする必要がないことを指してもよい。ユニキャストデータとは該データに対して対応のＨＡＲＱ−ＡＣＫ情報、例えばユニキャストＰＤＳＣＨ等をフィードバックする必要があることを指してもよい。
【００５５】
更に、例えば、ＵＥがＣＯＴを開始する場合、表２には異なる場合のチャネルアクセススキームを規定した。
【００５６】
【表２】
2021523647.tif 000004
【００５７】
選択肢として、基地局がＣａｔ−４  ＬＢＴを実行してＣＯＴを開始した後、該ＣＯＴ内のリソースをＵＥによるアップリンク伝送に使用してもよい。基地局のＣＯＴ内に生じたアップリンク伝送機会については、該アップリンク伝送機会の開始位置とダウンリンク伝送機会の終了位置との間のギャップが１６μｓ以下である場合、ＵＥは直ちに該アップリンク伝送を行ってもよく、該基地局のＣＯＴ内に該アップリンク伝送機会の後にダウンリンク伝送機会がない場合、ＵＥは伝送前にＣａｔ−２  ＬＢＴを行ってもよく、該基地局のＣＯＴ内にいずれか２回の隣接する伝送の間のギャップが２５μｓ以下である場合、ＵＥはＣａｔ−２  ＬＢＴを行ってもよく、例えば図２に示される。
【００５８】
すなわち、基地局はＣＯＴ内の伝送機会を端末装置に共有することができ、それによりＣＯＴにおける伝送リソースが柔軟に使用されるようにし、伝送リソースの浪費を回避し、伝送リソースを最大限に利用することができる。本願の実施例は以下の解決手段を提供し、該解決手段において、端末装置はＣＯＴ内の伝送機会をネットワーク装置に共有することができる。以下に詳しく説明する。
【００５９】
図３は本願の実施例に係る無線通信方法２００の模式的なフローチャートである。該方法２００は以下の少なくとも一部を含む。
【００６０】
２１０、第１端末装置は前記第１端末装置の取得したＣＯＴ内の第１伝送機会でネットワーク装置に第１指示情報を送信する。前記ＣＯＴ内に第２伝送機会及び第３伝送機会が含まれ、前記第１指示情報は前記ネットワーク装置が前記ＣＯＴ内の第２伝送機会を決定することに用いられる。
【００６１】
２２０、ネットワーク装置は第１指示情報を受信する。
【００６２】
２３０、ネットワーク装置は前記第１指示情報に基づいて前記第２伝送機会を決定する。
【００６３】
具体的に、第１端末装置の取得したＣＯＴ内に第１伝送機会、第２伝送機会及び第３伝送機会が含まれてもよく、第１端末装置は第１伝送機会で指示情報を送信することにより、ネットワーク装置が第２伝送機会を決定するようにすることができ、ネットワーク装置が第２伝送機会を共有でき、且つ更に第３伝送機会を含み、それによりＣＯＴにおける伝送リソースが柔軟に使用されるようにし、伝送リソースの浪費を回避し、伝送リソースを最大限に利用することができる。
【００６４】
選択肢として、本願の実施例の伝送機会は時間周波数リソースで構成されてもよい。
【００６５】
第１伝送機会、第２伝送機会及び第３伝送機会の伝送リソースは互いに重複しないものである。時間領域において、第２伝送機会は第１伝送機会より遅くてもよく、第３伝送機会は第２伝送機会より遅くてもよい。
【００６６】
当然ながら、本願の実施例では、ＣＯＴ内の伝送機会は３つに限らず、他の数の伝送機会を有してもよい。
【００６７】
ＣＯＴが３つの伝送機会を有する場合、２つの転換点を有してもよい。本願の実施例の転換点とは、ダウンリンク伝送機会の開始位置とアップリンク伝送機会の終了位置との間のギャップを指してもよく、アップリンク伝送機会の開始位置とダウンリンク伝送機会の終了位置との間のギャップを指してもよく、アップリンク伝送機会の開始位置とアップリンク伝送機会の終了位置との間のギャップを指してもよい。
【００６８】
転換点とはダウンリンク伝送機会の開始位置とアップリンク伝送機会の終了位置との間のギャップを指し、又はアップリンク伝送機会の開始位置とダウンリンク伝送機会の終了位置との間のギャップを指す場合、該ギャップの時間間隔は一定の時間長さ要件を満たす必要がない。
【００６９】
転換点とはアップリンク伝送機会の開始位置とアップリンク伝送機会の終了位置との間のギャップを指す場合、２回のアップリンク伝送機会は同じＵＥのアップリンク伝送機会であれば、該ギャップの時間間隔は一定の時間長さ要件を満たすことができ、２回のアップリンク伝送機会は異なるＵＥのアップリンク伝送機会であれば、該ギャップの時間間隔は一定の時間長さ要件を満たす必要がない。
【００７０】
選択肢として、１つのＵＥの開始したＣＯＴ内に多くとも２つの転換点が含まれてもよく、又は、多くとも３つの伝送機会が含まれてもよい。
【００７１】
例えば、１つのＵＥの開始したＣＯＴ内の第２伝送機会にユニキャストＰＤＳＣＨが含まれる場合、該ＣＯＴ内に多くとも３つの伝送機会が含まれる。
【００７２】
選択肢として、１つのＵＥの開始したＣＯＴ内にユニキャストＰＤＳＣＨが含まれない場合、該ＣＯＴ内に含まれる伝送機会は３より大きくてもよい。例えば、ＵＥ１の開始したＣＯＴ内に４つの伝送機会が含まれ、１番目の伝送機会はＵＥ１がＰＵＳＣＨを伝送することに用いられ、２番目の伝送機会は基地局が高優先度のチャネル又は信号を送信することに用いられ、３番目の伝送機会はＵＥ１がＰＵＳＣＨを伝送することに用いられ、４番目の伝送機会はＵＥ２がＰＵＳＣＨを伝送することに用いられる。ＵＥ１とＵＥ２は同じＱＣＬ仮定を有する。
【００７３】
当然ながら、本願の実施例では、１つのＵＥの開始したＣＯＴ内に１つの転換点が含まれてもよく、即ちＣＯＴは上記の第３伝送機会を含まなくてもよい。
【００７４】
一実現方式では、ＵＥの開始したＣＯＴ内に１つの転換点が含まれる場合、第１伝送機会の終了位置と第２伝送機会の開始位置との間のギャップが１６μｓ以下であれば、通信装置はＣａｔ−１  ＬＢＴを使用してチャネル検出を行い、例えばギャップが終了した後に直ちに伝送してもよい。
【００７５】
他の実現方式では、ＵＥの開始したＣＯＴ内に１つの転換点が含まれる場合、第１伝送機会の終了位置と第２伝送機会の開始位置との間のギャップが１６μｓを超えて２５μｓ以下であれば、通信装置はＣａｔ−２  ＬＢＴを使用してチャネル検出を行って、ＬＢＴに成功した後に伝送してもよい。
【００７６】
他の実現方式では、ＵＥの開始したＣＯＴ内に１つの転換点が含まれる場合、第１伝送機会の終了位置と第２伝送機会の開始位置との間のギャップが２５μｓを超えれば、通信装置はＣａｔ−２  ＬＢＴを使用してチャネル検出を行って、ＬＢＴに成功した後に伝送してもよい。
【００７７】
選択肢として、本願の実施例では、第２伝送機会はダウンリンク伝送機会であってもよく、第３伝送機会はアップリンク伝送機会であってもよい。
【００７８】
例えば、前記第２伝送機会は前記ネットワーク装置が前記第１端末装置又は第２端末装置に伝送した伝送機会である。第３伝送機会は第１端末装置又は第２端末装置がネットワーク装置に伝送した伝送機会である。
【００７９】
選択肢として、本願の実施例に言及した前記第１端末装置と前記第２端末装置は同じ疑似コロケーション（ＱＣＬ、Ｑｕａｓｉ−Ｃｏ−Ｌｏｃａｔｅｄ）仮定を有する。
【００８０】
選択肢として、前記第１端末装置と前記第２端末装置が同じ疑似コロケーション（ＱＣＬ、Ｑｕａｓｉ−Ｃｏ−Ｌｏｃａｔｅｄ）仮定を有することは、前記第１端末装置と前記第２端末装置が同じＴＣＩ−ｓｔａｔｅ（Ｔｒａｎｓｍｉｓｓｉｏｎ  Ｃｏｎｆｉｇｕｒａｔｉｏｎ  Ｉｎｄｉｃａｔｏｒ）状態を有すること、又は、前記第１端末装置の第１ＴＣＩ−ｓｔａｔｅにおける空間ＱＣＬパラメータが第１参照信号に対応し、前記第２端末装置の第２ＴＣＩ−ｓｔａｔｅにおける空間ＱＣＬパラメータも前記第１参照信号に対応すること、又は、前記第１端末装置の第１ＴＣＩ−ｓｔａｔｅにおける空間ＱＣＬパラメータが第１参照信号に対応し、前記第２端末装置の第２ＴＣＩ−ｓｔａｔｅにおける空間ＱＣＬパラメータが第２参照信号に対応し、前記第１参照信号と前記第２参照信号が空間的パラメータに関して疑似コロケーション（Ｓｐａｔｉａｌｌｙ  ｑｕａｓｉ−ｃｏｌｌｏｃａｔｅｄ、又はｑｕａｓｉ−ｃｏｌｌｏｃａｔｅｄ  ｗｉｔｈ  ｒｅｓｐｅｃｔ  ｔｏ  ｓｐａｔｉａｌ  Ｒｘ  ｐａｒａｍｅｔｅｒ）されること、又は、前記第１端末装置の送信ビームと前記第２端末装置の送信ビームが同じであること、又は、前記第１端末装置の受信ビームと前記第２端末装置の受信ビームが同じであることを意味してもよい。
【００８１】
選択肢として、前記空間ＱＣＬパラメータはＱＣＬ−ＴｙｐｅＤ又は空間受信パラメータ（Ｓｐａｔｉａｌ  Ｒｘ  ｐａｒａｍｅｔｅｒ）を含む。
【００８２】
選択肢として、１つの信号を受信するために使用されるビーム（受信ビームとも称される）は、１つの信号を受信するために使用される空間領域受信フィルタ（Ｓｐａｔｉａｌ  ｄｏｍａｉｎ  ｒｅｃｅｐｔｉｏｎ  ｆｉｌｔｅｒ）を意味してもよい。それに対応して、１つの信号を送信するために使用されるビーム（送信ビームとも称される）は、１つの信号を送信するために使用される空間領域送信フィルタ（Ｓｐａｔｉａｌ  ｄｏｍａｉｎ  ｔｒａｎｓｍｉｓｓｉｏｎ  ｆｉｌｔｅｒ）を意味してもよい。同じ空間領域送信又は受信フィルタを用いて送信又は受信した２つの信号については、この２つの信号は空間受信パラメータに関して疑似コロケーション（ＱＣＬ、Ｑｕａｓｉ−Ｃｏ−Ｌｏｃａｔｅｄ）されると称されてもよく、又は、送信又は受信ビームは同じである。
【００８３】
選択肢として、本願の実施例では、第１伝送機会は第１指示情報を含むだけでなく、更にアップリンクデータ、例えば物理アップリンク共有チャネル（ＰＵＳＣＨ、Ｐｈｙｓｉｃａｌ  Ｕｐｌｉｎｋ  Ｓｈａｒｅｄ  Ｃｈａｎｎｅｌ）を含んでもよい。
【００８４】
選択肢として、第１伝送機会において送信されたＰＵＳＣＨはＣＧ−ＰＵＳＣＨであってもよい。
【００８５】
具体的に、端末装置に周期的なＰＵＳＣＨリソース位置が予め設定されてもよく、端末装置がアップリンクデータ送信を有する場合、スケジューリング要求を送信せずに、予め設定されたＰＵＳＣＨリソース位置の前にＬＢＴ（例えば、ｃａｔ−４  ＬＢＴ）を行ってもよい。ＬＢＴに成功した場合、該ＰＵＳＣＨリソース位置でＣＧ−ＰＵＳＣＨを送信してもよく、ＬＢＴに成功していない場合、次のＰＵＳＣＨリソース位置でＬＢＴを実行してもよい。
【００８６】
選択肢として、第１伝送機会において送信されたＰＵＳＣＨは、ランダムアクセス過程におけるメッセージ３（Ｍｓｇ３）であってもよい。
【００８７】
具体的に、メッセージ３を含む前記ＰＵＳＣＨのリソースは、ランダムアクセス過程におけるランダムアクセス応答（ＲＡＲ、Ｒａｎｄｏｍ  Ａｃｃｅｓｓ  Ｒｅｓｐｏｎｓｅ）によって決定されてもよい。
【００８８】
選択肢として、前記第１指示情報は付随アップリンク制御情報によりＰＵＳＣＨに含まれる。
【００８９】
選択肢として、本願の実施例では、第１伝送機会は第１指示情報を含むだけでなく、更にプリアンブルシーケンス、例えば物理ランダムアクセスチャネル（ＰＲＡＣＨ、Ｐｈｙｓｉｃａｌ  Ｒａｎｄｏｍ  Ａｃｃｅｓｓ  ＣＨａｎｎｅｌ）を含んでもよい。
【００９０】
例えば、端末装置がＰＲＡＣＨ送信ニーズを有する場合、ＰＲＡＣＨリソース位置の前にＬＢＴ（例えば、ｃａｔ−４  ＬＢＴ）を行う。ＬＢＴに成功した場合、該ＰＲＡＣＨリソース位置でＰＲＡＣＨを送信してもよく、ＬＢＴに成功していない場合、次のＰＲＡＣＨリソース位置でＬＢＴを実行してもよい。
【００９１】
該ＰＲＡＣＨリソースはプリアンブルシーケンスを伝送するためのリソース、例えば４つのステップのＲＡＣＨを伝送するための第１ステップを含む。選択肢として、該第１指示情報は異なるプリアンブルシーケンス又は異なるプリアンブルシーケンスグループにより区分される。
【００９２】
又は、該ＰＲＡＣＨリソースはプリアンブルシーケンス及びアップリンクデータを伝送するためのリソース、例えば２つのステップのＲＡＣＨを伝送するための第１ステップを含む。選択肢として、該第１指示情報は異なるプリアンブルシーケンス又は異なるプリアンブルシーケンスグループにより区分される。選択肢として、該アップリンクデータは該第１指示情報を含む。
【００９３】
選択肢として、本願の実施例では、第１端末装置がＣＯＴ内の伝送機会を他の装置に共有するかどうかは、該第１端末装置の取得したＣＯＴ内のリソース及び／又は使用する必要があるリソースの大きさによって決定されてもよい。
【００９４】
例えば、第１端末装置がＣＯＴ内に送信する必要があるアップリンクデータが比較的に少ない場合、該ＣＯＴ内の伝送機会を他の装置に共有してもよい。
【００９５】
選択肢として、本願の実施例では、第１伝送機会は、前記第１端末装置に対してアップリンクデータスケジューリングを行うように前記ネットワーク装置に要求するための第２指示情報を更に含んでもよい。それによりネットワーク装置は第２伝送機会で第１端末装置をスケジューリングしてもよく、第１端末装置は第３伝送機会でＰＵＳＣＨを送信してもよい。
【００９６】
このような場合、第１伝送機会はＣＧ−ＰＵＳＣＨを含んでもよく、このとき、端末の送信対象のデータはまず第１伝送機会で一部を送信し、次に第２伝送機会で他の部分を送信してもよい。又は、第１伝送機会はＣＧ−ＰＵＳＣＨを含まず、即ちアップリンクデータを送信しなくてもよい。
【００９７】
選択肢として、第１指示情報は、前記ＣＯＴ内に第２伝送機会が含まれるかどうかのこと、前記第２伝送機会のチャネルアクセススキーム、前記第２伝送機会の開始位置、前記第２伝送機会の長さ、前記第１伝送機会の終了位置、前記ＣＯＴの終了位置、前記第１伝送機会において伝送されるチャネル又は信号のＱＣＬ関係、前記第２伝送機会において伝送されるチャネル又は信号のＱＣＬ関係、前記第１伝送機会の終了位置と前記第２伝送機会の開始位置との間のギャップ、前記ＣＯＴ内に第３伝送機会が含まれるかどうかのこと、前記第３伝送機会のチャネルアクセススキーム、前記第３伝送機会の開始位置、前記第３伝送機会の長さ、前記第２伝送機会の終了位置、前記第２伝送機会の終了位置と前記第３伝送機会の開始位置との間のギャップのうちの少なくとも１つを示してもよい。
【００９８】
第２伝送機会のチャネルアクセススキームは、ネットワーク装置が第２伝送機会の前にＬＢＴを実行するために採用されたチャネルアクセススキームを示してもよい。該チャネルアクセススキームはＣａｔ−１  ＬＢＴ又はＣａｔ−２  ＬＢＴであってもよい。それに対応して、１ビットによって対応のチャネルアクセススキームがＣａｔ−１  ＬＢＴ又はＣａｔ−２  ＬＢＴであることを示してもよい。候補チャネルアクセススキームは２つあるため、１ビットにより区分されてもよい。
【００９９】
前記第１伝送機会の終了位置と前記第２伝送機会の開始位置との間のギャップは、ネットワーク装置が第２伝送機会の前にＬＢＴを行うために採用されたチャネルアクセススキームを決定することに用いられてもよい。
【０１００】
第２伝送機会の開始位置は第２伝送機会がどこから開始するかをネットワーク装置に示す。該第２伝送機会の開始位置に基づいて、ネットワーク装置は第１伝送機会の終了位置及び第２伝送機会の開始位置に基づいて両者の間のギャップを決定して、第２伝送機会の前に行われたＬＢＴチャネルアクセススキームを決定してもよい。
【０１０１】
例えば、第１伝送機会の終了位置と第２伝送機会の開始位置との間のギャップが１６μｓ以下である場合、基地局はＣａｔ−１  ＬＢＴを使用し、例えばギャップが終了した後に直ちに伝送してもよい。
【０１０２】
更に、例えば、第１伝送機会の終了位置と第２伝送機会の開始位置との間のギャップが１６μｓより大きい場合、基地局はＣａｔ−２  ＬＢＴを使用し、ＬＢＴに成功した後に伝送してもよい。
【０１０３】
ネットワーク装置は第２伝送機会の開始位置と、第２伝送機会内のネットワーク装置が有用情報を送信するシンボル開始位置が一致しないことを決定した場合、ネットワーク装置はパンクチャリング又はサイクリックプレフィックスの長さを延長させる方式で信号送信を行ってもよい。
【０１０４】
第２伝送機会の長さはネットワーク装置がどれくらいの時間領域リソースを用いて伝送するかを示す。このとき、ネットワーク装置はＣＯＴ内に高優先度のチャネルアクセススキームを使用できる共有リソースがどれくらいあるかを把握でき、それによりダウンリンク伝送をより合理的に計画することができる。
【０１０５】
前記第１伝送機会の終了位置は第１伝送機会がどこで終了するかをネットワーク装置に示す。ネットワーク装置は第１伝送機会の終了位置に基づいて第２伝送機会の開始位置を決定して、第２伝送機会の開始位置と第１伝送機会の終了位置との間のギャップの大きさ又はギャップの大きさの属する範囲に応じてチャネルアクセススキームを決定してもよい。
【０１０６】
前記ＣＯＴの終了位置によってネットワーク装置はＣＯＴがどこで終了するかを把握でき、それによりネットワーク装置は第２伝送機会の終了位置又は長さを決定し、第２伝送機会が該ＣＯＴを超えないようにし、又は第３伝送機会のために第２伝送機会とＣＯＴの終了位置との間に一定のリソースを予約させることができ、そして、ネットワーク装置はＣＯＴ内に高優先度のチャネルアクセススキームを使用できる共有リソースがどれくらいあるかを把握でき、それによりダウンリンク伝送をより合理的に計画することができる。
【０１０７】
前記ネットワーク装置は、前記第１伝送機会において伝送されるチャネル又は信号のＱＣＬ関係に基づいて第２伝送機会の伝送を行ってもよい。又は、第２指示情報は前記第２伝送機会において伝送されるチャネル又は信号のＱＣＬ関係を含んでもよく、前記ネットワーク装置は前記第２伝送機会において伝送されるチャネル又は信号のＱＣＬ関係に基づいて、第２伝送機会の伝送を行ってもよい。
【０１０８】
選択肢として、チャネル又は信号のＱＣＬ関係は、チャネル又は信号のＱＣＬ仮定、又は、チャネル又は信号のＴＣＩ−ｓｔａｔｅ、又は、チャネル又は信号の空間受信パラメータに対応する参照信号、又は、チャネル又は信号の空間受信パラメータ、又は、チャネル又は信号の送信ビーム、又は、チャネル又は信号の受信ビームを意味してもよい。
【０１０９】
選択肢として、ＮＲ−Ｕシステムにおいて、チャネルアクセス方式又は信号伝送方式は指向的なものであってもよい。従って、端末装置はＣＯＴ関連パラメータを指示するとき、該ＵＥのＱＣＬ関係、例えばＵＥのデータ伝送に関連するＳＳＢ又はＣＳＩ−ＲＳのインデックス等を同時に指示してもよい。ネットワーク装置は該ＱＣＬ仮定された指示を受信した後、共有ＣＯＴ内のリソースを具体的な同じＱＣＬ仮定されたＵＥの伝送に使用してもよい。又は、ＵＥがアップリンク信号を送信するＱＣＬ仮定を指示し、例えばＳＲＳのリソース又はアップリンク信号のＰＭＩによって決定してもよい。
【０１１０】
選択肢として、本願の実施例の第１指示情報及び／又は第２指示情報はＵＣＩ又はＤＭＲＳに含まれる。
【０１１１】
該ＤＭＲＳはＰＵＳＣＨを復調することに用いられてもよく、このとき、第１伝送機会にＰＵＳＣＨが含まれてもよい。該ＤＭＲＳは該ＰＵＳＣＨの復調ＤＭＲＳであってもよい。
【０１１２】
理解されるように、第１指示情報及び／又は第２指示情報がアップリンク制御情報（ＵＣＩ、Ｕｐｌｉｎｋ  Ｃｏｎｔｒｏｌ  Ｉｎｆｏｒｍａｔｉｏｎ）に含まれる場合、該第１伝送機会はＰＵＳＣＨを送信してもよく、このとき、該ＵＣＩは該ＰＵＳＣＨの付随ＵＣＩであってもよい。
【０１１３】
上記指示情報（第１指示情報及び／又は第２指示情報を含んでもよい）にとって、前記第１装置は前記指示情報で搬送する必要がある情報内容に基づいて、複数の復調参照信号から、前記指示情報を搬送するための復調参照信号を選択する。それに対応して、ネットワーク装置は復調参照信号に基づいて複数の内容集合から内容集合を決定してもよい。
【０１１４】
例えば、ネットワーク装置は、上位層シグナリングによって少なくとも２つのパラメータ集合を設定してもよく、各パラメータ集合は第１伝送機会の終了位置、ＵＥの開始したＣＯＴ内の残存長さ又は終了位置、第１伝送機会又は伝送機会において伝送されたチャネル又は信号のＱＣＬ関係、第２伝送機会がＵＥの共有する伝送機会であるかどうかのこと、第２伝送機会に対応するチャネルアクセススキーム等の情報を含む。これにより、使用する必要があるパラメータ集合に基づいて、伝送する必要がある復調参照信号（ＤＭＲＳ、ＤｅＭｏｄｕｌａｔｉｏｎ  Ｒｅｆｅｒｅｎｃｅ  Ｓｉｇｎａｌ）シーケンスを決定してもよく、それによりネットワーク装置は該ＤＭＲＳシーケンスに基づいて対応のパラメータ集合を決定してもよい。
【０１１５】
ＤＭＲＳシーケンスにより情報を搬送することとは、異なるＤＭＲＳシーケンスを選択することにより情報を搬送することを意味してもよく、従って、ＤＭＲＳシーケンスは一般的に比較的少ない情報を示すことに適用されてもよい。ＣＯＴの共有する関連パラメータ集合におけるパラメータが比較的多い場合、上位層シグナリングの設定、ＤＭＲＳ選択的組み合わせ方式で決定してもよい。
【０１１６】
選択肢として、端末装置が該第１伝送機会でネットワーク装置にスケジューリングしたＰＵＳＣＨ（Ｓ−ＰＵＳＣＨ、Ｓｃｈｅｄｕｌｅｄ−ＰＵＳＣＨ）を送信する場合、第１指示情報は該Ｓ−ＰＵＳＣＨを復調するための参照信号に含まれてもよい。例えば、ネットワーク装置はＵＥに２つのＤＭＲＳシーケンスを割り当て、ＵＥはＣＯＴ内のリソースが共有できるかどうかによって対応のＤＭＲＳシーケンスを選択する。
【０１１７】
選択肢として、ＵＥが該第１伝送機会でネットワーク装置に予め設定されたＰＵＳＣＨ（ＣＧ−ＰＵＳＣＨ、Ｃｏｎｆｉｇｕｒｅｄ  Ｇｒａｎｔ−ＰＵＳＣＨ）を送信する場合、第１指示情報は該ＣＧ−ＰＵＳＣＨに付随して送信されたアップリンク制御情報（ＵＣＩ）に含まれてもよい。
【０１１８】
理解しやすくするために、以下に図４及び図５を参照しながら第１指示情報を説明する。
【０１１９】
例えば、図４に示すように、ＵＥの開始したＣＯＴ内に、ＵＥが時間ユニットｎでＣＧ−ＰＵＳＣＨ伝送を行う場合、該ＣＧ−ＰＵＳＣＨに付随して搬送されたアップリンク制御情報（ＵＣＩ）には、第１伝送機会の終了位置及び共有ＣＯＴ長さの指示情報を含む第１指示情報が含まれる。
【０１２０】
具体的に、第１指示情報は第１情報フィールド及び第２情報フィールドを含み、第１情報フィールドは第１伝送機会の終了位置を示すことに用いられ、例えば時間ユニットｎにおける第１指示情報の第１情報フィールドは２ビットを含み、第１伝送機会の終了位置が現在の時間ユニットｎ（００）、次の時間ユニットｎ＋１（０１）、時間ユニットｎ＋２（１０）及び時間ユニットｎ＋３（１１）にあることを示すことに用いられ、第２情報フィールドは共有ＣＯＴ長さを示すことに用いられ、例えば時間ユニットｎにおける第１指示情報の第２情報フィールドは２ビットを含み、共有ＣＯＴ長さに含まれる時間ユニットの個数がそれぞれ１（００）、２（０１）、３（１０）及び４（１１）であることを示すことに用いられる。選択肢として、第１伝送機会の終了シンボルが終了時間ユニットにおけるどのシンボルであるか又は共有ＣＯＴ長さ内の終了シンボルであるかは、ネットワーク装置が上位層情報により設定されたものであってもよい。
【０１２１】
例えば、図４に示すように、ＵＥが時間ユニットｎで送信した第１指示情報は１０１１であり、時間ユニットｎ＋１で送信した第１指示情報は０１１１であり、時間ユニットｎ＋２で送信した第１指示情報は００１１である。基地局は該第１指示情報を受信した後、ＵＥの開始したＣＯＴ内に該基地局の共有できるＣＯＴリソースが時間ユニットｎ＋３、時間ユニットｎ＋４、時間ユニットｎ＋５、時間ユニットｎ＋６を含むことを決定できる。
【０１２２】
理解されるように、図４には複数の時間ユニットでいずれも第１指示情報を送信したことを示し、このような場合、第１指示情報の紛失を回避することができ、本願の実施例では、１つの時間ユニットのみで第１指示情報を送信してもよい。図４に示される時間ユニットはスロット、シンボル、ハーフスロット、サブフレーム等であってもよい。
【０１２３】
例えば、図５に示すように、ＵＥの開始したＣＯＴ内に、ＵＥがサブフレームｎにおいてＣＧ−ＰＵＳＣＨ伝送を行うとき、該ＣＧ−ＰＵＳＣＨに付随して搬送されたアップリンク制御情報（ＵＣＩ）における第１指示情報は１ビットの指示情報を含み、ＵＥは該１ビットの指示情報により、サブフレームｎ＋ＸがＵＥのＣＯＴ内の基地局による伝送できるためのリソースに属するかどうか（又は、サブフレームｎ＋ＸがＵＥから基地局に共有するリソースに属するかどうか）を示してもよい。Ｘは上位層に設定されたパラメータであり、値範囲が１＜Ｘ＜５である。サブフレームｎ＋ＸがＵＥのＣＯＴ内の基地局の利用可能リソースに属する場合、基地局はサブフレームｎ＋Ｘにおける伝送の前にＣａｔ−２  ＬＢＴを行って、ＬＢＴに成功した後にダウンリンク伝送を行ってもよい。図５では、上位層に設定されたＸの値が３である。図５におけるＵＣＩの模式図は該ＵＣＩが該ＣＧ−ＰＵＳＣＨにより伝送されることを示すが、ＵＣＩが実際に伝送される際に占有するリソースを示さない。図示の都合上、図５には第３伝送機会を示さない。
【０１２４】
理解されるように、以上は第１指示情報における各パラメータの用途を説明したが、本願の実施例はこれらに限らず、本願の実施例の第１指示情報における各パラメータは更に他の用途を有してもよく、ここで詳細な説明は省略する。
【０１２５】
以上は主に第１伝送機会を説明したが、以下に第２伝送機会及び第３伝送機会を説明する。
【０１２６】
選択肢として、本願の実施例では、前記第２伝送機会は前記ネットワーク装置が前記第１端末装置又は第２端末装置に伝送した伝送機会である。
【０１２７】
具体的に、ネットワーク装置は第１指示情報に基づいて第２伝送機会を決定した後、該第２伝送機会を利用してダウンリンクチャネル又は信号を送信してもよく、該ダウンリンクチャネル又は信号の送信は放送又はマルチキャスト方式での送信であってもよく、ユニキャストの方式での送信であってもよい。
【０１２８】
選択肢として、前記第２伝送機会はＰＤＳＣＨ（ユニキャストＰＤＳＣＨであってもよい）、初期アクセス過程における制御情報、ランダムアクセス過程における制御情報、モビリティ管理のための制御情報、ページングメッセージ、参照信号、端末装置特有のＰＤＣＣＨ、スイッチング命令、共有ＰＤＣＣＨ、ショートメッセージページング、同期信号ブロック（ＳＳＢ、Ｓｙｎｃｈｒｏｎｉｚｉｎｇ  Ｓｉｇｎａｌ／ＰＢＣＨ  Ｂｌｏｃｋ）、ダウンリンクフィードバック指示情報（例えば、ダウンリンクＨＡＲＱ）のうちの少なくとも１つを伝送することに用いられてもよい。以上に言及したＰＤＣＣＨ及び参照信号は、独立して出現したＰＤＣＣＨ及び参照信号であってもよく、即ちユニキャストＰＤＳＣＨに付随しない。
【０１２９】
上記の第２伝送機会内に伝送された端末装置特有のＰＤＣＣＨは、第１端末装置のＰＤＣＣＨであってもよい。
【０１３０】
例えば、前記第１端末装置をスケジューリングするように要求するために、第１伝送機会は上記第２指示情報を含んでもよく、該第１端末装置をスケジューリングするために、該第２伝送機会はＰＤＣＣＨを含んでもよい。
【０１３１】
又は、該端末装置特有のＰＤＣＣＨは第２端末装置のＰＤＣＣＨ、即ち第２端末装置をスケジューリングするＰＤＣＣＨであってもよい。このとき、第１伝送機会は上記第２指示情報を含まなくてもよい。
【０１３２】
又は、該端末装置特有のＰＤＣＣＨは第３端末装置のＰＤＣＣＨであってもよく、第１端末装置と第３端末装置は同じＱＣＬ仮定を有しなくてもよい。
【０１３３】
選択肢として、本願の実施例の第２伝送機会の送信オブジェクトは第１端末装置以外の装置であってもよく、このとき、第２伝送機会は第２端末装置に対する情報、例えばＰＤＳＣＨ、初期アクセス過程における制御情報、ランダムアクセス過程における制御情報、モビリティ管理のための制御情報、ページングメッセージ、第１端末装置特有のＰＤＣＣＨ、スイッチング命令、ショートメッセージページング、ダウンリンクフィードバック指示情報等を伝送することに用いられてもよい。
【０１３４】
上記のダウンリンクフィードバック指示情報は、第１伝送機会に対するフィードバック情報であってもよく、例えば、第１伝送機会内に伝送されるＰＵＳＣＨに対するフィードバック情報であってもよい。
【０１３５】
選択肢として、本願の実施例では、第２伝送機会内に伝送されるチャネル又は信号は周期的に出現したチャネル又は信号であってもよく、端末装置はＣＯＴ内にネットワーク装置が周期的に出現したチャネル又は信号を送信する必要があることを発見した場合、第１端末装置は第２伝送機会をネットワーク装置に共有してもよい。
【０１３６】
例えば、ＵＥがＣＧ−ＰＵＳＣＨ伝送を行うとき、ＵＥの開始したＣＯＴ内に該ＵＥの占有する必要がある時間リソースが多い（例えば、アップリンクサービスの需要量が大きい）が、ＣＧ−ＰＵＳＣＨ伝送の占有する時間リソース内には基地局が高優先度のチャネル又は信号（例えば、ＰＤＣＣＨ等）を伝送するための周期リソースが含まれる場合、ＵＥはこの部分のリソースを予約して基地局の使用に備え、基地局の使用が終了した後にＣＧ−ＰＵＳＣＨ又はＳ−ＰＵＳＣＨの伝送を行い続けてもよい。
【０１３７】
例えば、図６に示すように、ＵＥはその開始したＣＯＴ内にＣＧ−ＰＵＳＣＨ伝送を行うとき、基地局に周期的に出現したＰＤＣＣＨリソースがあるため、ＵＥは該ＰＤＣＣＨリソースの前にＣＧ−ＰＵＳＣＨ伝送（例えば、第１伝送機会）を終了して、第１指示情報によって基地局に周期的に出現したＰＤＣＣＨリソース（例えば、第２伝送機会）がＵＥのＣＯＴ内のリソースに属し、且つ該ＵＥが該リソースを基地局に共有して使用することを指示する。そして、第２伝送機会が終了した後、ＵＥは第３伝送機会内にＰＵＳＣＨの伝送を行う。
【０１３８】
選択肢として、図６の例では、ＵＥは基地局に周期的に出現したＰＤＣＣＨリソース（例えば、第２伝送機会）の位置を把握したため、ＵＥは第１指示情報を送信して基地局を示すことを必要とせずに、該ＰＤＣＣＨリソースの前に第１伝送機会を停止してもよい。
【０１３９】
選択肢として、本願の実施例では、ユニキャストダウンリンクデータチャネル以外のチャネル又は信号は高優先度のチャネル又は信号と称されてもよく、このとき、第２伝送機会は高優先度のチャネル又は信号を伝送してもよい。
【０１４０】
選択肢として、第２伝送機会はユニキャストＰＤＳＣＨを伝送しなくてもよい。
【０１４１】
選択肢として、本願の実施例では、第２伝送機会の時間長さはプリセット時間長さ以下であってもよく、すなわち、ネットワーク装置が第２伝送機会内にダウンリンク伝送を行う時間長さは該プリセット時間長さ、例えば１ｍｓを超えなくてもよい。
【０１４２】
選択肢として、本願の実施例では、ネットワーク装置が第２伝送機会で送信したダウンリンクチャネル又は信号のタイプは、第２伝送機会の利用可能時間長さ及び／又はＣＯＴ内に残った利用可能時間長さによって決定されてもよい。
【０１４３】
選択肢として、本願の実施例では、第２伝送機会は前記第１端末装置によるアップリンクデータ伝送をスケジューリングするための第３指示情報を含んでもよい。例えば、該第３指示情報はＰＤＣＣＨに含まれてもよく、このとき、第１端末装置は第１伝送機会においてスケジューリング要求、即ち上記の第２指示情報を送信してもよい。
【０１４４】
前記第２伝送機会内に伝送される情報は第４指示情報を含み、前記第４指示情報は、前記第３伝送機会のチャネルアクセススキーム、前記第３伝送機会の開始位置、前記第３伝送機会の長さ、前記第２伝送機会の終了位置、前記ＣＯＴの終了位置のうちの少なくとも１つを決定することに用いられる。
【０１４５】
選択肢として、前記第４指示情報は更に第４伝送機会のチャネルアクセススキーム及び／又は第４伝送機会のチャネルアクセススキームのサブスキームを決定することに用いられる（例えば、Ｃａｔ−４  ＬＢＴにおいてサービス優先度によって決定される）。第４伝送機会は前記ＣＯＴ内に属しない。
【０１４６】
第１指示情報と同様に、第２伝送機会に含まれる第４指示情報は第３伝送機会の位置、第３伝送機会の前に行われたチャネルアクセススキーム等を決定することに用いられてもよい。
【０１４７】
選択肢として、本願の実施例では、前記第３伝送機会は、前記第１端末装置又は前記第２端末装置が前記ネットワーク装置に伝送した伝送機会である。
【０１４８】
第２伝送機会の受信端は第３伝送機会の送信端と同じであってもよく、異なってもよい。例えば、第２伝送機会がユニキャスト方式でダウンリンクチャネル又は信号を送信する場合、第３伝送機会は受信端の該ダウンリンクチャネル又は信号に対するフィードバック又は応答を伝送することに用いられてもよく、該第２伝送機会が放送方式でダウンリンクチャネル又は信号を送信する場合、第３伝送機会内に送信されたチャネル又は信号は、第２伝送機会内に送信されたチャネル又は信号に関係しないものであってもよい。
【０１４９】
選択肢として、第３伝送機会はＰＵＳＣＨ、ハイブリッド自動再送要求肯定応答（ＨＡＲＱ−ＡＣＫ）情報、ランダムアクセスシーケンス、スケジューリング要求、サウンディング参照信号、チャネル状態情報のうちの少なくとも１つを伝送することに用いられる。
【０１５０】
又は、前記第２伝送機会は前記ネットワーク装置が前記第１端末装置又は第２端末装置に伝送した伝送機会であるが、第３伝送機会はＤ２Ｄの伝送機会、例えば第１端末装置と第２端末装置との間の伝送機会であってもよい。
【０１５１】
選択肢として、第１端末装置は更に、前記第２端末装置が前記ＣＯＴ内の第３伝送機会を決定するための指示情報を、前記第１伝送機会で前記第２端末装置に送信する。
【０１５２】
選択肢として、本願の実施例では、第２伝送機会の伝送は第３伝送機会の伝送を限定することができる。
【０１５３】
例えば、第２伝送機会の伝送時間長さは、第３伝送機会内に伝送されるチャネル又は信号のタイプを限定することができる。例えば、第２伝送機会内に伝送されるチャネル又は信号のタイプは、第３伝送機会内に伝送されるチャネル又は信号のタイプを限定することができる。例えば、第２伝送機会内に伝送されるチャネル又は信号のタイプは、第３伝送機会内に伝送されるチャネル又は信号の時間長さを限定することができる。
【０１５４】
逆の場合も同様であり、即ち第３伝送機会の伝送は第２伝送機会の伝送を限定することができる。
【０１５５】
選択肢として、本願の実施例では、前記第２伝送機会内に伝送されるチャネルがＰＤＳＣＨを含む場合、第３伝送機会内に伝送された情報は高優先度のチャネル又は信号を含む。前記第３伝送機会は、ハイブリッド自動再送要求肯定応答（ＨＡＲＱ−ＡＣＫ）情報、ランダムアクセスシーケンス、スケジューリング要求、サウンディング参照信号、チャネル状態情報のうちの少なくとも１つを送信することに用いられる。
【０１５６】
前記第３伝送機会はＨＡＲＱ−ＡＣＫ情報を送信することに用いられ、前記ＨＡＲＱ−ＡＣＫ情報は前記ＰＤＳＣＨに対応するＨＡＲＱ−ＡＣＫ情報を含む。
【０１５７】
具体的に、ＵＥがＣＧ−ＰＵＳＣＨ伝送を行うとき、ＵＥの開始したＣＯＴ内に該ＵＥの占有する必要がある時間リソースが少ない場合、基地局が該リソースを利用してＰＤＳＣＨ伝送を行うよう、該ＵＥは該ＣＯＴ内のリソースを基地局に共有してもよい。選択肢として、該ダウンリンク伝送は該ＵＥのダウンリンク伝送である。選択肢として、該ダウンリンク伝送と該ＵＥのダウンリンク伝送は同じＱＣＬ関係（又は、同じＱＣＬ仮定）を有してもよく、又は、該ダウンリンク伝送と該ＵＥのダウンリンク伝送との空間受信パラメータは同じである。それに対応して、基地局の伝送したＰＤＳＣＨに対応するＨＡＲＱ情報をできるだけ早く基地局にフィードバックするために、該ＨＡＲＱ情報を伝送するためのＰＵＣＣＨリソースは該ＵＥのＣＯＴを共有してもよい。
【０１５８】
例えば、図７に示すように、ＵＥはその開始したＣＯＴ内にＣＧ−ＰＵＳＣＨ伝送（例えば、第１伝送機会）を遂行した後、後続の共有リソース（例えば、該ＣＯＴ内の第１伝送機会の後のリソース）が基地局に使用されてもよいことを指示する。基地局は該共有リソースのうちの一部のリソース（例えば、第２伝送機会に含まれるリソース）を使用して該ＵＥにＰＤＳＣＨを伝送し、且つ該ＵＥが該ＣＯＴ内の他の部分（例えば、第３伝送機会に含まれるリソース）を使用して該ＰＤＳＣＨに対応するＨＡＲＱ情報を伝送してもよいことを指示する。
【０１５９】
従って、ＵＥのＣＯＴを基地局に共有してＰＤＳＣＨ伝送を行うとき、ＰＤＳＣＨに対応するＨＡＲＱ情報が少ないリソースによりフィードバックできることを考慮して、ＵＥのＣＯＴ内の基地局の伝送機会が終了した後、該ＣＯＴ内のリソースがＰＤＳＣＨに対応するＨＡＲＱ情報を伝送することに用いられることを許可してもよく、それによりＨＡＲＱのフィードバック遅延を短縮することができる。
【０１６０】
選択肢として、前記第３伝送機会はＨＡＲＱ−ＡＣＫ情報を送信することに用いられる場合、前記第３伝送機会の占有するチャネル時間は第１プリセット時間長さ、例えば１ｍｓ以下である。
【０１６１】
選択肢として、前記第２伝送機会内に伝送されるチャネルがＰＤＳＣＨを含む場合、前記第３伝送機会は第１プリセット時間長さ、例えば１ｍｓ以下である。
【０１６２】
選択肢として、該第１プリセット時間長さはプロトコルに基づいて第１端末装置に予め設定されたものであってもよく、ネットワーク側に設定されたものであってもよい。
【０１６３】
選択肢として、本願の実施例では、第２伝送機会がユニキャストＰＤＳＣＨを含む場合、第３伝送機会はＨＡＲＱ−ＡＣＫ情報を伝送することに用いられ、該ＨＡＲＱ−ＡＣＫ情報は前記ユニキャストＰＤＳＣＨに対応するＨＡＲＱ−ＡＣＫ情報を含む。更に、選択肢として、該第３伝送機会の時間長さは第１プリセット時間長さ以下である。
【０１６４】
選択肢として、本願の実施例では、前記第２伝送機会は高優先度のチャネル又は信号を送信することに用いられる場合、例えば、初期アクセス過程における制御情報、ランダムアクセス過程における制御情報、モビリティ管理のための制御情報、ページングメッセージ、参照信号、端末装置特有のＰＤＣＣＨ、スイッチング命令、共有ＰＤＣＣＨ、ショートメッセージページング、ＳＳＢ、ダウンリンクフィードバック指示情報のうちの少なくとも１つを含む場合、第３伝送機会はＰＵＳＣＨを伝送することに用いられてもよい。上記のＰＤＣＣＨ及び参照信号は独立して出現したＰＤＣＣＨ及び参照信号であってもよく、即ちユニキャストＰＤＳＣＨに付随しない。
【０１６５】
具体的に、ＵＥがＣＧ−ＰＵＳＣＨ伝送を行うとき、該ＣＧ−ＰＵＳＣＨ伝送時間内には基地局が周期的な高優先度の信号又はチャネルを送信するための時間リソースが含まれる場合、ＵＥは該部分のリソースを基地局に共有して伝送して、基地局の伝送が終了した後に該ＵＥのＰＵＳＣＨ伝送を行い続けてもよい。該ＵＥが行い続けるＰＵＳＣＨ伝送はＣＧ−ＰＵＳＣＨであってもよく、Ｓ−ＰＵＳＣＨであってもよい。
【０１６６】
選択肢として、本願の実施例では、第２伝送機会はユニキャストＰＤＳＣＨを含まない信号又はチャネルを伝送することに用いられる場合、第２伝送機会の占有するチャネル時間はプリセット時間長さ、例えば１ｍｓ以下である。選択肢として、第２伝送機会は高優先度の信号又はチャネルを伝送することに用いられる場合、第２伝送機会の占有するチャネル時間はプリセット時間長さ以下である。
【０１６７】
選択肢として、本願の実施例では、第２伝送機会の占有するチャネル時間がプリセット時間長さ、例えば１ｍｓ以下である場合、第３伝送機会はＰＵＳＣＨ伝送に用いられてもよい。
【０１６８】
選択肢として、本願の実施例では、第２伝送機会の占有するチャネル時間がプリセット時間長さ、例えば１ｍｓ以下である場合、第３伝送機会はＤ２Ｄ間の伝送に用いられてもよい。
【０１６９】
選択肢として、該プリセット時間長さはプロトコルに基づいてネットワーク装置又は端末装置に予め設定されたものであってもよく、ネットワーク側に設定されたものであってもよい。
【０１７０】
理解されるように、本願の実施例では、方法２００の解決手段は（Ｄ２Ｄ、Ｄｅｖｉｃｅ  ｔｏ  Ｄｅｖｉｃｅ）シーンに適用されてもよく、即ち以上のようにネットワーク装置で端末装置を代替してもよく、例えば、第１端末装置と異なる他の端末装置であってもよく、該他の端末装置は下記の第２端末装置であってもでなくてもよい。
【０１７１】
更に理解されるように、本願の実施例では、第１端末装置は第１伝送機会内に第１指示情報を送信しなくてもよく、例えば、ネットワーク装置は第１伝送機会内に第１端末装置から伝送されたアップリンクデータを受信した後、該ダウンリンク伝送機会の開始位置とアップリンク伝送機会の終了位置との間のギャップが１６μｓ以下である場合、ネットワーク装置は直ちに該アップリンク伝送を行ってもよく、ギャップが１６μｓを超えて２５μｓ以下である場合、ＵＥは伝送前にＣａｔ−２  ＬＢＴを行ってもよい。
【０１７２】
図８は本願の実施例に係る非ライセンススペクトルのための無線通信方法３００の模式的なフローチャートである。下記の第１装置が端末装置であり、第２装置がネットワーク装置であってもよく、又は、第１装置が端末装置であり、第２装置が端末装置であってもよい。
【０１７３】
３１０、第１装置は前記第１装置の取得したチャネル占有期間（ＣＯＴ）内の第１伝送機会で第２装置に第１指示情報を送信し、前記第１指示情報は、前記第１装置が前記ＣＯＴ内のリソースを共有するかどうかのこと、前記ＣＯＴ内の第２伝送機会のチャネルアクセススキーム、前記第１伝送機会の終了位置、前記第２伝送機会の開始位置、前記第２伝送機会の長さ、前記ＣＯＴの終了位置又は残存長さ、前記第１伝送機会において伝送されるチャネル又は信号のＱＣＬ関係、前記第２伝送機会においての伝送対象のチャネル又は信号のＱＣＬ関係、前記第１伝送機会の終了位置と前記第２伝送機会の開始位置との間のギャップのうちの少なくとも１つを決定することに用いられる。
【０１７４】
３２０、第２装置は該第１指示情報を受信する。
【０１７５】
前記第１装置が前記ＣＯＴ内のリソースを共有するかどうかは、第１装置がＣＯＴ内のリソースを共有するか、それともＣＯＴ内のリソースを共有しないかを意味してもよく、例えば、１は共有することを示し、０は共有しないことを示す。
【０１７６】
第２伝送機会のチャネルアクセススキームは、第２装置がどのように第２伝送機会の前にＬＢＴの用いたチャネルアクセススキームを実行するかを示してもよい。該チャネルアクセススキームはＣａｔ−１  ＬＢＴ又はＣａｔ−２  ＬＢＴであってもよい。それに対応して、１ビットによって対応のチャネルアクセススキームがＣａｔ−１  ＬＢＴ又はＣａｔ−２  ＬＢＴであることを示してもよい。候補チャネルアクセススキームは２つあるため、１ビットにより区分されてもよい。
【０１７７】
前記第１伝送機会の終了位置と前記第２伝送機会の開始位置との間のギャップは、第２装置が第２伝送機会の前にＬＢＴを行うために用いたチャネルアクセススキームを決定することに用いられてもよい。
【０１７８】
第２伝送機会の開始位置は第２伝送機会がどこから開始するかを第２装置に示す。該第２伝送機会の開始位置に基づいて、第２装置は第１伝送機会の終了位置及び第２伝送機会の開始位置に基づいて両者の間のギャップを決定して、第２伝送機会の前に行われたＬＢＴチャネルアクセススキームを決定してもよい。
【０１７９】
例えば、第１伝送機会の終了位置と第２伝送機会の開始位置との間のギャップが１６μｓ以下である場合、基地局はＣａｔ−１  ＬＢＴを使用し、例えばギャップが終了した後に直ちに伝送してもよい。
【０１８０】
更に、例えば、第１伝送機会の終了位置と第２伝送機会の開始位置との間のギャップが１６μｓより大きい場合、基地局はＣａｔ−２  ＬＢＴを使用して、ＬＢＴに成功した後に伝送してもよい。
【０１８１】
第２装置は第２伝送機会の開始位置と、第２伝送機会内に第２装置が有用情報を送信するシンボル開始位置が一致しないことを決定した場合、第２装置はパンクチャリング又はサイクリックプレフィックスの長さを延長させる方式で信号送信を行ってもよい。
【０１８２】
第２伝送機会の長さは第２装置がどれくらいの時間領域リソースを用いて伝送するかを示す。このとき、第２装置はＣＯＴ内に高優先度のチャネルアクセススキームを使用できる共有リソースがどれくらいあるかを把握でき、それによりダウンリンク伝送をより合理的に計画することができる。
【０１８３】
前記第１伝送機会の終了位置は第１伝送機会がどこで終了するかを第２装置に示す。第２装置は第１伝送機会の終了位置に基づいて第２伝送機会の開始位置を決定して、第２伝送機会の開始位置と第１伝送機会の終了位置との間のギャップの大きさ又はギャップの大きさの属する範囲に基づいて、チャネルアクセススキームを決定してもよい。
【０１８４】
前記ＣＯＴの終了位置又は残存長さによってネットワーク装置はＣＯＴがどこで終了するかを把握でき、それにより第２装置は第２伝送機会の終了位置又は長さを決定して、第２伝送機会が該ＣＯＴを超えないようにし、又は第３伝送機会のために第２伝送機会とＣＯＴの終了位置との間に一定のリソースを予約させることができ、そして、第２装置はＣＯＴ内に高優先度のチャネルアクセススキームを使用できる共有リソースがどれくらいあるかを把握でき、それによりダウンリンク伝送をより合理的に計画することができる。
【０１８５】
前記第１伝送機会において伝送されるチャネル又は信号のＱＣＬ関係は、第１端末装置が用いた空間送信パラメータ又は空間受信パラメータを示してもよく、それにより第２装置は対応する空間パラメータを利用して第２伝送機会の伝送を行ってもよい。
【０１８６】
又は、第１指示情報は前記第２伝送機会において伝送されるチャネル又は信号の空間ＱＣＬパラメータの決定情報を含んでもよく、即ち第２装置は対応する空間ＱＣＬパラメータを直接利用して第２伝送機会の伝送を行ってもよい。
【０１８７】
具体的に、ＮＲ−Ｕシステムにおいて、チャネルアクセス方式又は信号伝送方式は指向的なものであってもよく、従って、端末装置はＣＯＴ関連パラメータを指示するとき、該ＵＥのＱＣＬ関係、例えばＵＥのデータ伝送に関連するＳＳＢ又はＣＳＩ−ＲＳのインデックス等を同時に指示してもよい。ネットワーク装置は該ＱＣＬに関連する指示を受信した後、共有ＣＯＴ内のリソースを具体的な同じＱＣＬ関係のＵＥの伝送に使用してもよい。
【０１８８】
選択肢として、本願の実施例の第１指示情報及び／又は第２指示情報はＵＣＩ又はＤＭＲＳに含まれる。
【０１８９】
該ＤＭＲＳはＰＵＳＣＨを復調することに用いられてもよく、このとき、第１伝送機会にＰＵＳＣＨが含まれてもよい。該ＤＭＲＳは該ＰＵＳＣＨの付随ＤＭＲＳであってもよい。
【０１９０】
理解されるように、第１指示情報がＵＣＩに含まれる場合、該第１伝送機会はＰＵＳＣＨを送信してもよく、このとき、該ＵＣＩは該ＰＵＳＣＨの付随ＵＣＩであってもよい。
【０１９１】
第１指示情報にとって、前記第１装置は前記指示情報で搬送する必要がある情報内容に基づいて、複数の復調参照信号から、前記指示情報を搬送するための復調参照信号を選択する。それに対応して、ネットワーク装置は復調参照信号に基づいて、複数の内容集合から内容集合を決定してもよい。
【０１９２】
例えば、ネットワーク装置は上位層シグナリングによって少なくとも２つのパラメータ集合を設定してもよく、各パラメータ集合は第１伝送機会の終了位置、ＵＥの開始したＣＯＴ内の残存長さ又は終了位置、第１伝送機会又は伝送機会において伝送されたチャネル又は信号のＱＣＬ関係、第２伝送機会がＵＥの共有する伝送機会であるかどうかのこと、第２伝送機会に対応するチャネルアクセススキーム等の情報を含む。これにより、採用する必要があるパラメータ集合に基づいて、伝送する必要があるＤＭＲＳシーケンスを決定してもよく、それによりネットワーク装置は該ＤＭＲＳシーケンスに基づいて対応のパラメータ集合を決定してもよい。
【０１９３】
ＤＭＲＳシーケンスにより情報を搬送することとは、異なるＤＭＲＳシーケンスを選択することにより情報を搬送することを意味してもよく、従って、ＤＭＲＳシーケンスは一般的に比較的少ない情報を示すことに適用されてもよい。ＣＯＴの共有する関連パラメータ集合におけるパラメータが比較的多い場合、上位層シグナリングの設定、ＤＭＲＳ選択の組み合わせ方式で決定してもよい。
【０１９４】
選択肢として、端末装置が該第１伝送機会でネットワーク装置にスケジューリングしたＰＵＳＣＨ（Ｓ−ＰＵＳＣＨ）を送信する場合、第１指示情報は該Ｓ−ＰＵＳＣＨを復調するための参照信号に含まれてもよい。例えば、ネットワーク装置はＵＥに２つのＤＭＲＳシーケンスを割り当て、ＵＥはＣＯＴ内のリソースが共有できるかどうかによって対応のＤＭＲＳシーケンスを選択する。
【０１９５】
選択肢として、ＵＥが該第１伝送機会でネットワーク装置に予め設定されたＰＵＳＣＨ（ＣＧ−ＰＵＳＣＨ）を送信する場合、第１指示情報は該ＣＧ−ＰＵＳＣＨに付随して送信されたアップリンク制御情報（ＵＣＩ）に含まれてもよい。
【０１９６】
従って、本願の実施例では、第１装置は前記第１装置の取得したチャネル占有期間（ＣＯＴ）内の第１伝送機会で第２装置に第１指示情報を送信し、前記第１指示情報は、前記第１装置が前記ＣＯＴ内のリソースを共有するかどうかのこと、前記ＣＯＴ内の第２伝送機会のチャネルアクセススキーム、前記第１伝送機会の終了位置、前記第２伝送機会の開始位置、前記第２伝送機会の長さ、前記ＣＯＴの終了位置又は残存長さ、前記第１伝送機会において伝送されるチャネル又は信号のＱＣＬ関係、前記第２伝送機会においての伝送対象のチャネル又は信号のＱＣＬ関係、前記第１伝送機会の終了位置と前記第２伝送機会の開始位置との間のギャップのうちの少なくとも１つを決定することに用いられる。該第１装置は該第１情報により第２伝送機会においての伝送を実現することができる。
【０１９７】
図９は本願の実施例に係る非ライセンススペクトルのための無線通信方法４００の模式的なフローチャートである。該方法４００は端末装置により実現されてもよく、ネットワーク装置により実現されてもよい。
【０１９８】
４１０、非ライセンススペクトルにおける第１検出時間長さ内にチャネル検出を行い、前記第１検出時間長さは１６マイクロ秒を超えて２５マイクロ秒以下であり、前記第１検出時間長さは少なくとも１つの検出スロットを含み、前記検出スロットは前記第１検出時間長さの先端又は末端に位置する。ここで言及した検出はｃａｔ−２  ＬＢＴであってもよい。
【０１９９】
選択肢として、本願の実施例では、チャネルを検出することは検出スロットを検出することを意味してもよい。該過程は、通信装置が検出スロット内にチャネルを検出し、且つ通信装置が該検出スロット内の少なくともプリセット値、例えば４μｓの時間内に検出したパワーはエネルギー検出閾値未満である場合、該検出スロットがアイドルと見なされ、そうでない場合、該検出スロットが占有されたと見なされることを含む。選択肢として、エネルギー検出閾値は予め設定されたもの又はプロトコルに決められた公式に基づいて計算したものである。
【０２００】
選択肢として、本願の実施例の検出時間長さは隣接する伝送機会の間の長さ以下であってもよい。
【０２０１】
例えば、ギャップの長さが２５μｓより大きい場合、検出時間長さは２５μｓである。更に、例えば、ギャップの長さが２５μｓ以下である場合、検出時間長さはギャップに等しい。
【０２０２】
選択肢として、本願の実施例では、前記第１検出時間長さに基づいて、前記検出スロットの数、前記検出スロットの長さ及び前記検出スロットの位置のうちの少なくとも１つを決定してもよい。
【０２０３】
具体的に、同じＣＯＴ内の２回の伝送機会の間のギャップの大きさが可変である場合、通信装置はＣａｔ−２  ＬＢＴを使用してチャネル検出を行ってもよく、どのようにｃａｔ−２  ＬＢＴを使用してチャネル検出を行うかは、ギャップの大きさによって決定されてもよい。例えば、ギャップの大きさに基づいて、前記検出スロットの数、前記検出スロットの長さ及び前記検出スロットの位置のうちの少なくとも１つを決定してもよい。
【０２０４】
理解されるように、検出時間長さに基づいて、前記検出スロットの数、前記検出スロットの長さ及び前記検出スロットの位置のうちの少なくとも１つを決定する解決手段は他のシーンに適用されてもよく、例えば、第１検出時間長さが１６マイクロ秒を超えて２５マイクロ秒以下である場合に限定しない。
【０２０５】
選択肢として、本願の実施例では、前記少なくとも１つの検出スロットは前記第１検出時間長さの先端に位置する第１検出スロットを含む。該第１検出スロットは９μｓであってもよく、他の時間長さ、例えば８μｓであってもよい。
【０２０６】
選択肢として、本願の実施例では、前記少なくとも１つの検出スロットは前記第１検出時間長さの末端に位置する第２検出スロットを含む。該第２検出スロットは９μｓであってもよく、他の時間長さ、例えば８μｓであってもよい。
【０２０７】
理解されるように、本願の実施例では、第１検出スロットと第２検出スロットは同時に存在してもよく、例えば、図１０に示すように、Ｙμｓの検出時間長さ内には、長さＺ１μｓの空きチャンネル判定（ＣＣＡ、Ｃｌｅａｒ  Ｃｈａｎｎｅｌ  Ａｓｓｅｓｓｍｅｎｔ）スロット及び長さＺ２μｓのＣＣＡスロットが含まれてもよい。又は、一方のみが存在してもよい。
【０２０８】
以下に第１検出スロット及び第２検出スロットの両方を含む場合を例として説明する。
【０２０９】
一実現方式では、前記第１検出スロットの長さは９マイクロ秒であり、前記第２検出スロットの長さは９マイクロ秒である。このとき、選択肢として、前記第１検出時間長さは１８マイクロ秒以上２５マイクロ秒以下である。
【０２１０】
他の実現方式では、前記第１検出スロットの長さは８マイクロ秒であり、前記第２検出スロットの長さは８マイクロ秒である。このとき、選択肢として、前記第１検出時間長さは１８マイクロ秒以上２５マイクロ秒以下であり、又は、前記第１検出時間長さは１７マイクロ秒以上１８マイクロ秒未満であり、又は、前記第１検出時間長さは１６マイクロ秒を超えて１７マイクロ秒未満である。
【０２１１】
他の実現方式では、前記第１検出スロットの長さは８マイクロ秒であり、前記第２検出スロットの長さは９マイクロ秒である。このとき、選択肢として、前記第１検出時間長さは１８マイクロ秒以上２５マイクロ秒以下であり、又は、前記第１検出時間長さは１７マイクロ秒以上１８マイクロ秒未満である。
【０２１２】
他の実現方式では、前記第１検出スロットの長さは９マイクロ秒であり、前記第２検出スロットの長さは８マイクロ秒である。このとき、選択肢として、前記第１検出時間長さは１８マイクロ秒以上２５マイクロ秒以下であり、又は、前記第１検出時間長さは１７マイクロ秒以上１８マイクロ秒未満である。
【０２１３】
他の実現方式では、前記第１検出スロットの長さはＺ１マイクロ秒であり、前記第２検出スロットの長さは（Ｙ−Ｚ１）マイクロ秒である。例えば、前記第１検出スロットの長さは９マイクロ秒であり、前記第２検出スロットの長さは（Ｙ−９）マイクロ秒であり、Ｙが前記第１検出時間長さを示し、選択肢として、Ｙの値は１６マイクロ秒を超えて２５マイクロ秒以下である。
【０２１４】
他の実現方式では、前記第２検出スロットの長さはＺ２マイクロ秒であり、前記第１検出スロットの長さは（Ｙ−Ｚ２）マイクロ秒である。例えば、前記第２検出スロットの長さは９マイクロ秒であり、前記第１検出スロットの長さは（Ｙ−９）マイクロ秒であり、Ｙが前記第１検出時間長さを示し、選択肢として、Ｙの値は１６マイクロ秒を超えて２５マイクロ秒以下である。
【０２１５】
選択肢として、本願の実施例では、検出スロットの長さが可変であり、例えばＹの値が１６マイクロ秒を超えて２５マイクロ秒以下であり、検出スロットの長さが（Ｙ−９）マイクロ秒であり、即ち検出スロットの長さが７マイクロ秒を超えて１６マイクロ秒以下である場合、検出スロットを検出する過程は、通信装置が可変長さの検出スロット内にチャネルを検出し、且つ通信装置が該可変長さの検出スロット内の少なくともプリセット値、例えば４μｓの時間内に検出したパワーはエネルギー検出閾値より小さい場合、該可変長さの検出スロットがアイドルと見なされ、そうでない場合、該可変長さの検出スロットが占有されたと見なされることを含む。
【０２１６】
従って、前記第１検出時間長さが１６マイクロ秒を超えて２５マイクロ秒以下である場合、第１検出時間長さの先端又は末端の少なくとも１つの検出スロットにおいて検出してもよく、長さが１６マイクロ秒を超えて２５マイクロ秒以下の検出時間長さの検出を実現した。
【０２１７】
理解されるように、本願の実施例の各方法は組み合わせて使用されてもよく、例えば、方法１００は方法２００及び方法３００に適用されてもよく、方法２００は方法１００及び方法３００に適用されてもよく、同様に、方法３００は方法１００及び方法２００に適用されてもよい。
【０２１８】
図１１は本願の実施例に係る非ライセンススペクトルのための端末装置５００の模式的なブロック図である。該端末装置５００は通信ユニット５１０を備える。
【０２１９】
通信ユニット５１０は、前記端末装置の取得したチャネル占有期間（ＣＯＴ）内の第１伝送機会でネットワーク装置に第１指示情報を送信することに用いられ、前記ＣＯＴ内に第２伝送機会及び第３伝送機会が含まれ、前記第１指示情報は前記ネットワーク装置が前記ＣＯＴ内の第２伝送機会を決定することに用いられる。
【０２２０】
選択肢として、本願の実施例では、前記第２伝送機会は前記ネットワーク装置が前記端末装置又は第２端末装置に伝送した伝送機会であり、及び／又は、前記第３伝送機会は前記端末装置又は前記第２端末装置が前記ネットワーク装置に伝送した伝送機会である。
【０２２１】
選択肢として、本願の実施例では、前記端末装置と前記第２端末装置は、同じ疑似コロケーション（ＱＣＬ）仮定を有する。
【０２２２】
選択肢として、本願の実施例では、前記第２伝送機会内に伝送されるチャネルは、物理ダウンリンク共有チャネル（ＰＤＳＣＨ）を含む。
【０２２３】
選択肢として、本願の実施例では、前記第３伝送機会は、ハイブリッド自動再送要求肯定応答（ＨＡＲＱ−ＡＣＫ）情報、ランダムアクセスシーケンス、スケジューリング要求、サウンディング参照信号、チャネル状態情報のうちの少なくとも１つを送信することに用いられる。
【０２２４】
選択肢として、本願の実施例では、前記第３伝送機会はＨＡＲＱ−ＡＣＫ情報を送信することに用いられ、前記ＨＡＲＱ−ＡＣＫ情報は前記ＰＤＳＣＨに対応するＨＡＲＱ−ＡＣＫ情報を含む。
【０２２５】
選択肢として、本願の実施例では、前記第２伝送機会内に伝送されるチャネルがＰＤＳＣＨを含む場合、前記第３伝送機会は第１プリセット時間長さ以下である。
【０２２６】
選択肢として、本願の実施例では、前記第２伝送機会は、初期アクセス過程における制御情報、ランダムアクセス過程における制御情報、モビリティ管理のための制御情報、ページングメッセージ、参照信号、端末装置特有のＰＤＣＣＨ、スイッチング命令、共有ＰＤＣＣＨ、ショートメッセージページング、ＳＳＢ、ダウンリンクフィードバック指示情報のうちの少なくとも１つを送信することに用いられる。
【０２２７】
選択肢として、本願の実施例では、前記第２伝送機会内に伝送されるチャネルはユニキャストＰＤＳＣＨを含まない。
【０２２８】
選択肢として、本願の実施例では、前記第２伝送機会の時間長さは第２プリセット時間長さ以下である。
【０２２９】
選択肢として、本願の実施例では、前記第３伝送機会内に伝送されるチャネルは、物理アップリンク共有チャネル（ＰＵＳＣＨ）を含む。
【０２３０】
選択肢として、本願の実施例では、前記第１伝送機会内に伝送される情報は、前記端末装置に対してアップリンクデータスケジューリングを行うように前記ネットワーク装置に要求するための第２指示情報を含む。
【０２３１】
選択肢として、本願の実施例では、前記通信ユニット５１０は更に、前記ネットワーク装置から送信された、前記端末装置によるアップリンクデータ伝送をスケジューリングするための第３指示情報を、前記第２伝送機会内に受信することに用いられる。
【０２３２】
選択肢として、本願の実施例では、前記第１指示情報は、前記第２伝送機会のチャネルアクセススキーム、前記第２伝送機会の開始位置、前記第２伝送機会の長さ、前記第１伝送機会の終了位置、前記ＣＯＴの終了位置、前記第１伝送機会において伝送されるチャネル又は信号のＱＣＬ関係、前記第１伝送機会の終了位置と前記第２伝送機会の開始位置との間のギャップのうちの少なくとも１つを決定することに用いられる。
【０２３３】
選択肢として、本願の実施例では、前記第２伝送機会内に伝送される情報は第４指示情報を含み、前記第４指示情報は、前記第３伝送機会のチャネルアクセススキーム、前記第３伝送機会の開始位置、前記第３伝送機会の長さ、前記第２伝送機会の終了位置、前記ＣＯＴの終了位置のうちの少なくとも１つを決定することに用いられる。
【０２３４】
理解されるように、該端末装置５００は上記方法実施例の第１端末装置に対応してもよく、該第１端末装置の対応操作を実現することができ、簡潔のために、ここで詳細な説明は省略する。
【０２３５】
図１２は本願の実施例に係る非ライセンススペクトルのための通信装置６００の模式的なブロック図である。該通信装置６００は通信ユニット６１０を備える。
【０２３６】
通信ユニット６１０は、前記通信装置の取得したチャネル占有期間（ＣＯＴ）内の第１伝送機会で第２装置に第１指示情報を送信することに用いられ、前記第１指示情報は、前記通信装置が前記ＣＯＴ内のリソースを共有するかどうかのこと、前記ＣＯＴ内の第２伝送機会のチャネルアクセススキーム、前記第１伝送機会の終了位置、前記第２伝送機会の開始位置、前記第２伝送機会の長さ、前記ＣＯＴの終了位置又は残存長さ、前記第１伝送機会において伝送されるチャネル又は信号のＱＣＬ関係、前記第２伝送機会においての伝送対象のチャネル又は信号のＱＣＬ関係、前記第１伝送機会の終了位置と前記第２伝送機会の開始位置との間のギャップのうちの少なくとも１つを決定することに用いられる。
【０２３７】
選択肢として、本願の実施例では、前記第１指示情報はアップリンク制御情報（ＵＣＩ）又は復調参照信号に含まれる。
【０２３８】
選択肢として、本願の実施例では、前記第１指示情報は復調参照信号に含まれ、前記通信装置６００は更に、前記通信装置が前記第１指示情報で搬送する必要がある情報内容に基づいて、複数の復調参照信号から、前記第１指示情報を搬送するための復調参照信号を選択することに更に用いられる処理ユニット６２０を備える。
【０２３９】
選択肢として、本願の実施例では、前記ＵＣＩ又は前記復調参照信号は、前記通信装置から送信されたＰＵＳＣＨの付随ＵＣＩ又は復調参照信号であり、前記ＰＵＳＣＨは前記第１伝送機会において伝送される。
【０２４０】
選択肢として、本願の実施例では、前記通信装置が端末装置であり、前記第２装置がネットワーク装置であり、又は、
前記通信装置が端末装置であり、前記第２装置が端末装置である。
【０２４１】
理解されるように、該通信装置６００は方法実施例における第１装置による対応操作を実現することに用いられてもよく、簡潔のために、ここで詳細な説明は省略する。
【０２４２】
図１３は本願の実施例に係る非ライセンススペクトルのための通信装置７００の模式的なブロック図である。該通信装置７００は通信ユニット７１０を備える。
【０２４３】
通信ユニット７１０は、非ライセンススペクトルにおける第１検出時間長さ内にチャネル検出を行うことに用いられ、前記第１検出時間長さは１６マイクロ秒を超えて２５マイクロ秒以下であり、前記第１検出時間長さは少なくとも１つの検出スロットを含み、前記検出スロットは前記第１検出時間長さの先端又は末端に位置する。
【０２４４】
選択肢として、本願の実施例では、通信装置７００は更に、
前記第１検出時間長さに基づいて、前記検出スロットの数、前記検出スロットの長さ及び前記検出スロットの位置のうちの少なくとも１つを決定することに用いられる処理ユニット７２０を備える。
【０２４５】
選択肢として、本願の実施例では、前記少なくとも１つの検出スロットは、前記第１検出時間長さの先端に位置する第１検出スロットを含む。
【０２４６】
選択肢として、本願の実施例では、前記少なくとも１つの検出スロットは、前記第１検出時間長さの末端に位置する第２検出スロットを含む。
【０２４７】
選択肢として、本願の実施例では、前記少なくとも１つの検出スロットは、前記第１検出時間長さの先端及び末端に位置する第１検出スロット及び第２検出スロットを含み、
前記第１検出スロットの長さは９マイクロ秒であり、前記第２検出スロットの長さは９マイクロ秒である。
【０２４８】
選択肢として、本願の実施例では、前記少なくとも１つの検出スロットは、前記第１検出時間長さの先端及び末端に位置する第１検出スロット及び第２検出スロットを含み、
前記第１検出スロットの長さは８マイクロ秒であり、前記第２検出スロットの長さは８マイクロ秒である。
【０２４９】
選択肢として、本願の実施例では、前記少なくとも１つの検出スロットは、前記第１検出時間長さの先端及び末端に位置する第１検出スロット及び第２検出スロットを含み、
前記第１検出スロットの長さは８マイクロ秒であり、前記第２検出スロットの長さは９マイクロ秒である。
【０２５０】
選択肢として、本願の実施例では、前記少なくとも１つの検出スロットは、前記第１検出時間長さの先端及び末端に位置する第１検出スロット及び第２検出スロットを含み、
前記第１検出スロットの長さは９マイクロ秒であり、前記第２検出スロットの長さは８マイクロ秒である。
【０２５１】
選択肢として、本願の実施例では、前記第１検出時間長さは、１８マイクロ秒以上２５マイクロ秒以下である。
【０２５２】
選択肢として、本願の実施例では、前記第１検出時間長さは、１７マイクロ秒以上１８マイクロ秒未満である。
【０２５３】
選択肢として、本願の実施例では、前記第１検出時間長さは、１６マイクロ秒を超えて１７マイクロ秒未満である。
【０２５４】
選択肢として、該通信装置７００は上記方法実施例における端末装置又はネットワーク装置による対応操作を実現することに用いられてもよく、簡潔のために、ここで詳細な説明は省略する。
【０２５５】
図１４は本願の実施例に係る非ライセンススペクトルのためのネットワーク装置８００の模式的なブロック図である。該ネットワーク装置８００は通信ユニット８１０を備える。
【０２５６】
通信ユニット８１０は、第１端末装置から送信された、前記第１端末装置の取得したチャネル占有期間（ＣＯＴ）内の第１伝送機会において伝送される第１指示情報を受信することに用いられ、
前記ＣＯＴ内に第２伝送機会及び第３伝送機会が含まれ、前記第１指示情報は前記ネットワーク装置が前記ＣＯＴ内の第２伝送機会を決定することに用いられる。
【０２５７】
選択肢として、本願の実施例では、前記第２伝送機会は前記ネットワーク装置が前記第１端末装置又は第２端末装置に伝送した伝送機会であり、及び／又は、前記第３伝送機会は前記第１端末装置又は前記第２端末装置が前記ネットワーク装置に伝送した伝送機会である。
【０２５８】
選択肢として、本願の実施例では、前記第１端末装置と前記第２端末装置は、同じ疑似コロケーション（ＱＣＬ）仮定を有する。
【０２５９】
選択肢として、本願の実施例では、前記第２伝送機会内に伝送されるチャネルは、物理ダウンリンク共有チャネル（ＰＤＳＣＨ）を含む。
【０２６０】
選択肢として、本願の実施例では、前記第３伝送機会は、ハイブリッド自動再送要求肯定応答（ＨＡＲＱ−ＡＣＫ）情報、ランダムアクセスシーケンス、スケジューリング要求、サウンディング参照信号、チャネル状態情報のうちの少なくとも１つを送信することに用いられる。
【０２６１】
選択肢として、本願の実施例では、前記第３伝送機会はＨＡＲＱ−ＡＣＫ情報を送信することに用いられ、前記ＨＡＲＱ−ＡＣＫ情報は前記ＰＤＳＣＨに対応するＨＡＲＱ−ＡＣＫ情報を含む。
【０２６２】
選択肢として、本願の実施例では、前記第２伝送機会内に伝送されるチャネルがＰＤＳＣＨを含む場合、前記第３伝送機会は第１プリセット時間長さ以下である。
【０２６３】
選択肢として、本願の実施例では、前記第２伝送機会は、初期アクセス過程における制御情報、ランダムアクセス過程における制御情報、モビリティ管理のための制御情報、ページングメッセージ、参照信号、端末装置特有のＰＤＣＣＨ、スイッチング命令、共有ＰＤＣＣＨ、ショートメッセージページング、ＳＳＢ、ダウンリンクフィードバック指示情報のうちの少なくとも１つを送信することに用いられる。
【０２６４】
選択肢として、本願の実施例では、前記第２伝送機会内に伝送されるチャネルはユニキャストＰＤＳＣＨを含まない。
【０２６５】
選択肢として、本願の実施例では、前記第２伝送機会の時間長さは第２プリセット時間長さ以下である。
【０２６６】
選択肢として、本願の実施例では、前記第３伝送機会内に伝送されるチャネルは、物理アップリンク共有チャネル（ＰＵＳＣＨ）を含む。
【０２６７】
選択肢として、本願の実施例では、前記第１伝送機会内に伝送される情報は、前記第１端末装置に対してアップリンクデータスケジューリングを行うように前記ネットワーク装置に要求するための第２指示情報を含む。
【０２６８】
選択肢として、本願の実施例では、前記通信ユニットは更に、前記第１端末装置によるアップリンクデータ伝送をスケジューリングするための第３指示情報を、前記第２伝送機会内に前記第１端末装置に送信することに用いられる。
【０２６９】
選択肢として、本願の実施例では、前記第１指示情報は、前記第２伝送機会のチャネルアクセススキーム、前記第２伝送機会の開始位置、前記第２伝送機会の長さ、前記第１伝送機会の終了位置、前記ＣＯＴの終了位置、前記第１伝送機会において伝送されるチャネル又は信号のＱＣＬ関係、前記第１伝送機会の終了位置と前記第２伝送機会の開始位置との間のギャップのうちの少なくとも１つを決定することに用いられる。
【０２７０】
選択肢として、本願の実施例では、前記第２伝送機会内に伝送される情報は第４指示情報を含み、前記第４指示情報は、前記第３伝送機会のチャネルアクセススキーム、前記第３伝送機会の開始位置、前記第３伝送機会の長さ、前記第２伝送機会の終了位置、前記ＣＯＴの終了位置のうちの少なくとも１つを決定することに用いられる。
【０２７１】
選択肢として、該ネットワーク装置８００は上記方法実施例における端末装置又はネットワーク装置による対応操作を実現することに用いられてもよく、簡潔のために、ここで詳細な説明は省略する。
【０２７２】
図１５は本願の実施例の非ライセンススペクトルのための通信装置９００の模式的なブロック図である。該通信装置９００は通信ユニット９１０を備える。
【０２７３】
通信ユニット９１０は、第１装置から送信された、前記第１装置が前記第１装置の取得したチャネル占有期間（ＣＯＴ）内の第１伝送機会で送信した第１指示情報を受信することに用いられ、前記第１指示情報は、前記第１装置が前記ＣＯＴ内のリソースを共有するかどうかのこと、前記ＣＯＴ内の第２伝送機会のチャネルアクセススキーム、前記第１伝送機会の終了位置、前記第２伝送機会の開始位置、前記第２伝送機会の長さ、前記ＣＯＴの終了位置又は残存長さ、前記第１伝送機会において伝送されるチャネル又は信号のＱＣＬ関係、前記第２伝送機会においての伝送対象のチャネル又は信号のＱＣＬ関係、前記第１伝送機会の終了位置と前記第２伝送機会の開始位置との間のギャップのうちの少なくとも１つを決定することに用いられる。
【０２７４】
選択肢として、本願の実施例では、前記第１指示情報はアップリンク制御情報（ＵＣＩ）又は復調参照信号に含まれる。
【０２７５】
選択肢として、本願の実施例では、前記第１指示情報は復調参照信号に含まれ、前記通信装置は更に、前記第１指示情報を含む復調参照信号に基づいて、複数の情報集合から、前記第１指示情報で示される情報を含む情報集合を選択することに用いられる処理ユニット９２０を備える。
【０２７６】
選択肢として、本願の実施例では、前記ＵＣＩ又は前記復調参照信号は前記第１装置の送信したＰＵＳＣＨの付随ＵＣＩ又は復調参照信号であり、前記ＰＵＳＣＨは前記第１伝送機会において伝送される。
【０２７７】
選択肢として、本願の実施例では、前記第１装置が端末装置であり、前記通信装置がネットワーク装置であり、又は、
前記第１装置が端末装置であり、前記通信装置が端末装置である。
【０２７８】
選択肢として、該通信装置９００は上記方法実施例における第２装置による対応操作を実現することに用いられてもよく、簡潔のために、ここで詳細な説明は省略する。
【０２７９】
図１６は本願の実施例に係る通信装置１０００の構造模式図である。図１６に示される通信装置１０００はプロセッサ１０１０を備え、プロセッサ１０１０はメモリからコンピュータプログラムを呼び出して実行して、本願の実施例の方法を実現することができる。
【０２８０】
選択肢として、図１６に示すように、通信装置１０００は更にメモリ１０２０を備えてもよい。プロセッサ１０１０はメモリ１０２０からコンピュータプログラムを呼び出して実行して、本願の実施例の方法を実現することができる。
【０２８１】
メモリ１０２０はプロセッサ１０１０から独立した１つの独立したデバイスであってもよく、プロセッサ１０１０に統合されてもよい。
【０２８２】
選択肢として、図１６に示すように、通信装置１０００は更に送受信機１０３０を備えてもよく、プロセッサ１０１０は他の装置と通信するように該送受信機１０３０を制御することができ、具体的に、他の装置に情報又はデータを送信し、又は他の装置から送信された情報又はデータを受信することができる。
【０２８３】
送受信機１０３０は送信機及び受信機を備えてもよい。送受信機１０３０は更にアンテナを備えてもよく、アンテナの数が１つ又は複数であってもよい。
【０２８４】
選択肢として、該通信装置１０００は具体的に本願の実施例のネットワーク装置であってもよく、且つ該通信装置１０００は本願の実施例の各方法におけるネットワーク装置による対応プロセスを実現することができ、簡潔のために、ここで詳細な説明は省略する。
【０２８５】
選択肢として、該通信装置１０００は具体的に本願の実施例のモバイル端末／端末装置であってもよく、且つ該通信装置１０００は本願の実施例の各方法におけるモバイル端末／端末装置による対応プロセスを実現することができ、簡潔のために、ここで詳細な説明は省略する。
【０２８６】
図１７は本願の実施例のチップの構造模式図である。図１７に示されるチップ１１００はプロセッサ１１１０を備え、プロセッサ１１１０はメモリからコンピュータプログラムを呼び出して実行して、本願の実施例の方法を実現することができる。
【０２８７】
選択肢として、図１７に示すように、チップ１１００は更にメモリ１１２０を備えてもよい。プロセッサ１１１０はメモリ１１２０からコンピュータプログラムを呼び出して実行して、本願の実施例の方法を実現することができる。
【０２８８】
メモリ１１２０はプロセッサ１１１０から独立した１つの独立したデバイスであってもよく、プロセッサ１１１０に統合されてもよい。
【０２８９】
選択肢として、該チップ１１００は更に入力インターフェース１１３０を備えてもよい。プロセッサ１１１０は他の装置又はチップと通信するように該入力インターフェース１１３０を制御することができ、具体的に、他の装置又はチップから送信された情報又はデータを取得することができる。
【０２９０】
選択肢として、該チップ１１００は更に出力インターフェース１１４０を備えてもよい。プロセッサ１１１０は他の装置又はチップと通信するように該出力インターフェース１１４０を制御することができ、具体的に、他の装置又はチップに情報又はデータを出力することができる。
【０２９１】
選択肢として、該チップは本願の実施例のネットワーク装置に適用されてもよく、且つ該チップは本願の実施例の各方法におけるネットワーク装置による対応プロセスを実現することができ、簡潔のために、ここで詳細な説明は省略する。
【０２９２】
選択肢として、該チップは本願の実施例のモバイル端末／端末装置に適用されてもよく、且つ該チップは本願の実施例の各方法におけるモバイル端末／端末装置による対応プロセスを実現することができ、簡潔のために、ここで詳細な説明は省略する。
【０２９３】
理解されるように、本願の実施例に言及したチップは更にシステムレベルチップ、システムチップ、チップシステム又はシステムオンチップ等と称されてもよい。
【０２９４】
理解されるように、本願の実施例のプロセッサは信号処理機能を有する集積回路チップでありうる。実現過程において、上記方法実施例の各ステップはプロセッサにおけるハードウェアの集積論理回路又はソフトウェア形式の命令で行われてもよい。上記プロセッサは汎用プロセッサ、デジタルシグナルプロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネントであってもよい。本願の実施例に開示される各方法、ステップ及び論理ブロックを実現又は実行することができる。汎用プロセッサはマイクロプロセッサであってもよく、又は該プロセッサはいかなる通常のプロセッサ等であってもよい。本願の実施例に開示される方法のステップはハードウェア復号プロセッサで実行して完成し、又は復号プロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを行う。
【０２９５】
理解されるように、本願の実施例では、メモリは揮発性メモリであってもよく、又は不揮発性メモリであってもよく、又は、揮発性メモリ及び不揮発性メモリの両方を含んでもよい。不揮発性メモリは読み出し専用メモリ（ＲＯＭ、Ｒｅａｄ−Ｏｎｌｙ  Ｍｅｍｏｒｙ）、プログラム可能読み出し専用メモリ（ＰＲＯＭ、Ｐｒｏｇｒａｍｍａｂｌｅ  ＲＯＭ）、消去可能プログラム可能読み出し専用メモリ（ＥＰＲＯＭ、Ｅｒａｓａｂｌｅ  ＰＲＯＭ）、電気的消去可能プログラム可能読み出し専用メモリ（ＥＥＰＲＯＭ、Ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ、Ｒａｎｄｏｍ  Ａｃｃｅｓｓ  Ｍｅｍｏｒｙ）であってもよい。例示的な説明であって制限的ではないが、多くの形式のＲＡＭ、例えばスタティックランダムアクセスメモリ（ＳＲＡＭ、Ｓｔａｔｉｃ  ＲＡＭ）、ダイナミックランダムアクセスメモリ（ＤＲＡＭ、Ｄｙｎａｍｉｃ  ＲＡＭ）、シンクロナスダイナミックランダムアクセスメモリ（ＳＤＲＡＭ、Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ、Ｅｎｈａｎｃｅｄ  ＳＤＲＡＭ）、シンクリンクダイナミックランダムアクセスメモリ（ＳＬＤＲＡＭ、Ｓｙｎｃｈｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）は利用可能である。なお、本明細書に説明されるシステム及び方法のメモリはこれらのメモリ及び任意の他の適切なタイプのメモリを含むが、それらに限らないように意図されるものである。
【０２９６】
理解されるように、上記メモリは例示的な説明であって制限的ではなく、例えば、本願の実施例のメモリは更にスタティックランダムアクセスメモリ（ＳＲＡＭ、ｓｔａｔｉｃ  ＲＡＭ）、ダイナミックランダムアクセスメモリ（ＤＲＡＭ、ｄｙｎａｍｉｃ  ＲＡＭ）、シンクロナスダイナミックランダムアクセスメモリ（ＳＤＲＡＭ、ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、ｄｏｕｂｌｅ  ｄａｔａ  ｒａｔｅ  ＳＤＲＡＭ）、拡張型シンクロナスダイナミックランダムアクセスメモリ（ＥＳＤＲＡＭ、ｅｎｈａｎｃｅｄ  ＳＤＲＡＭ）、シンクリンクダイナミックランダムアクセスメモリ（ＳＬＤＲＡＭ、ｓｙｎｃｈ  ｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）等であってもよい。すなわち、本願の実施例のメモリはこれらのメモリ及び任意の他の適切なタイプのメモリを含むが、それらに限らないように意図されるものである。
【０２９７】
本願の実施例は更にコンピュータ可読記憶媒体を提供し、該媒体はコンピュータプログラムを記憶することに用いられる。
【０２９８】
選択肢として、該コンピュータ可読記憶媒体は本願の実施例のネットワーク装置に適用されてもよく、且つ該コンピュータプログラムによってコンピュータが本願の実施例の各方法におけるネットワーク装置による対応プロセスを実行し、簡潔のために、ここで詳細な説明は省略する。
【０２９９】
選択肢として、該コンピュータ可読記憶媒体は本願の実施例のモバイル端末／端末装置に適用されてもよく、且つ該コンピュータプログラムによってコンピュータが本願の実施例の各方法におけるモバイル端末／端末装置による対応プロセスを実行し、簡潔のために、ここで詳細な説明は省略する。
【０３００】
本願の実施例は更にコンピュータプログラム製品を提供し、該製品はコンピュータプログラム命令を含む。
【０３０１】
選択肢として、該コンピュータプログラム製品は本願の実施例のネットワーク装置に適用されてもよく、且つ該コンピュータプログラム命令によってコンピュータが本願の実施例の各方法におけるネットワーク装置による対応プロセスを実行し、簡潔のために、ここで詳細な説明は省略する。
【０３０２】
選択肢として、該コンピュータプログラム製品は本願の実施例のモバイル端末／端末装置に適用されてもよく、且つ該コンピュータプログラム命令によってコンピュータが本願の実施例の各方法におけるモバイル端末／端末装置による対応プロセスを実行し、簡潔のために、ここで詳細な説明は省略する。
【０３０３】
本願の実施例は更にコンピュータプログラムを提供する。
【０３０４】
選択肢として、該コンピュータプログラムは本願の実施例のネットワーク装置に適用されてもよく、該コンピュータプログラムがコンピュータにおいて実行されるとき、コンピュータが本願の実施例の各方法におけるネットワーク装置による対応プロセスを実行し、簡潔のために、ここで詳細な説明は省略する。
【０３０５】
選択肢として、該コンピュータプログラムは本願の実施例のモバイル端末／端末装置に適用されてもよく、該コンピュータプログラムがコンピュータにおいて実行されるとき、コンピュータが本願の実施例の各方法におけるモバイル端末／端末装置による対応プロセスを実行し、簡潔のために、ここで詳細な説明は省略する。
【０３０６】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本願の範囲を超えるものと見なされるべきではない。
【０３０７】
当業者であれば明確に理解できるように、説明を容易で簡単にするために、上記説明されるシステム、装置及びユニットの具体的な動作過程については、前述の方法実施例における対応過程を参照してもよく、ここで詳細な説明は省略する。
【０３０８】
本願に係るいくつかの実施例において、理解されるように、開示されるシステム、装置及び方法は他の方式で実現されてもよい。例えば、以上に説明される装置実施例は模式的なものに過ぎず、例えば、前記ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０３０９】
分離部材として説明される前記ユニットは物理的に分離してもよく、物理的に分離しなくてもよく、ユニットとして表示される部材は物理ユニットであってもよく、物理ユニットでなくてもよく、即ち、一箇所に位置してもよく、複数のネットワークユニットに配置されてもよい。実際の必要に応じて、その一部又は全部のユニットを選択して本実施例案の目的を実現してもよい。
【０３１０】
また、本願の各実施例では、各機能ユニットは１つの処理ユニットに統合されてもよく、各ユニットは独立して物理的に存在してもよく、２つ以上のユニットは１つのユニットに統合されてもよい。
【０３１１】
前記機能はソフトウェア機能ユニットの形式で実現され、独立した製品として販売又は使用されるときは、１つのコンピュータ可読記憶媒体に記憶されてもよい。このような理解に基づいて、本願の技術案の本質的又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等であってもよい）に本願の各実施例に記載の方法の全部又は一部のステップを実行させるための若干の命令を含む１つの記憶媒体に記憶される。そして、上記記憶媒体はＵＳＢメモリ、ポータブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプログラムコードを記憶できる様々な媒体を含む。
【０３１２】
以上の説明は本願の具体的な実施形態に過ぎず、本願の保護範囲を制限するためのものではなく、当業者が本願に開示される技術的範囲内で容易に想到し得る変更や置換は、いずれも本願の保護範囲内に含まれるべきである。従って、本願の保護範囲は特許請求の範囲に準じるべきである。
【図１】
2021523647.tif 000005
【図２】
2021523647.tif 000006
【図３】
2021523647.tif 000007
【図４】
2021523647.tif 000008
【図５】
2021523647.tif 000009
【図６】
2021523647.tif 000010
【図７】
2021523647.tif 000011
【図８】
2021523647.tif 000012
【図９】
2021523647.tif 000013
【図１０】
2021523647.tif 000014
【図１１】
2021523647.tif 000015
【図１２】
2021523647.tif 000016
【図１３】
2021523647.tif 000017
【図１４】
2021523647.tif 000018
【図１５】
2021523647.tif 000019
【図１６】
2021523647.tif 000020
【図１７】
2021523647.tif 000021
【手続補正書】
【提出日】令和2年11月16日(2020.11.16)
【手続補正１】
【補正対象書類名】明細書
【補正対象項目名】００７９
【補正方法】変更
【補正の内容】
【００７９】
選択肢として、本願の実施例に言及した前記第１端末装置と前記第２端末装置は同じ疑似コロケーション（ＱＣＬ、Ｑｕａｓｉ  Ｃｏ−Ｌｏｃａｔｉｏｎ）仮定を有する。
【手続補正２】
【補正対象書類名】明細書
【補正対象項目名】００８０
【補正方法】変更
【補正の内容】
【００８０】
選択肢として、前記第１端末装置と前記第２端末装置が同じ疑似コロケーション（ＱＣＬ、Ｑｕａｓｉ  Ｃｏ−Ｌｏｃａｔｉｏｎ）仮定を有することは、前記第１端末装置と前記第２端末装置が同じＴＣＩ−ｓｔａｔｅ（Ｔｒａｎｓｍｉｓｓｉｏｎ  Ｃｏｎｆｉｇｕｒａｔｉｏｎ  Ｉｎｄｉｃａｔｏｒ）状態を有すること、又は、前記第１端末装置の第１ＴＣＩ−ｓｔａｔｅにおける空間ＱＣＬパラメータが第１参照信号に対応し、前記第２端末装置の第２ＴＣＩ−ｓｔａｔｅにおける空間ＱＣＬパラメータも前記第１参照信号に対応すること、又は、前記第１端末装置の第１ＴＣＩ−ｓｔａｔｅにおける空間ＱＣＬパラメータが第１参照信号に対応し、前記第２端末装置の第２ＴＣＩ−ｓｔａｔｅにおける空間ＱＣＬパラメータが第２参照信号に対応し、前記第１参照信号と前記第２参照信号が空間的パラメータに関して疑似コロケーション（Ｓｐａｔｉａｌｌｙ  ｑｕａｓｉ−ｃｏｌｌｏｃａｔｅｄ、又はｑｕａｓｉ−ｃｏｌｌｏｃａｔｅｄ  ｗｉｔｈ  ｒｅｓｐｅｃｔ  ｔｏ  ｓｐａｔｉａｌ  Ｒｘ  ｐａｒａｍｅｔｅｒ）されること、又は、前記第１端末装置の送信ビームと前記第２端末装置の送信ビームが同じであること、又は、前記第１端末装置の受信ビームと前記第２端末装置の受信ビームが同じであることを意味してもよい。
【手続補正３】
【補正対象書類名】明細書
【補正対象項目名】００８２
【補正方法】変更
【補正の内容】
【００８２】
選択肢として、１つの信号を受信するために使用されるビーム（受信ビームとも称される）は、１つの信号を受信するために使用される空間領域受信フィルタ（Ｓｐａｔｉａｌ  ｄｏｍａｉｎ  ｒｅｃｅｐｔｉｏｎ  ｆｉｌｔｅｒ）を意味してもよい。それに対応して、１つの信号を送信するために使用されるビーム（送信ビームとも称される）は、１つの信号を送信するために使用される空間領域送信フィルタ（Ｓｐａｔｉａｌ  ｄｏｍａｉｎ  ｔｒａｎｓｍｉｓｓｉｏｎ  ｆｉｌｔｅｒ）を意味してもよい。同じ空間領域送信又は受信フィルタを用いて送信又は受信した２つの信号については、この２つの信号は空間受信パラメータに関して疑似コロケーション（ＱＣＬ、Ｑｕａｓｉ  Ｃｏ−Ｌｏｃａｔｉｏｎ）されると称されてもよく、又は、送信又は受信ビームは同じである。
【手続補正４】
【補正対象書類名】明細書
【補正対象項目名】００８５
【補正方法】変更
【補正の内容】
【００８５】
具体的に、端末装置に周期的なＰＵＳＣＨリソース位置が予め設定されてもよく、端末装置がアップリンクデータ送信を有する場合、スケジューリング要求を送信せずに、予め設定されたＰＵＳＣＨリソース位置の前にＬＢＴ（例えば、Ｃａｔ−４  ＬＢＴ）を行ってもよい。ＬＢＴに成功した場合、該ＰＵＳＣＨリソース位置でＣＧ−ＰＵＳＣＨを送信してもよく、ＬＢＴに成功していない場合、次のＰＵＳＣＨリソース位置でＬＢＴを実行してもよい。
【手続補正５】
【補正対象書類名】明細書
【補正対象項目名】００９０
【補正方法】変更
【補正の内容】
【００９０】
例えば、端末装置がＰＲＡＣＨ送信ニーズを有する場合、ＰＲＡＣＨリソース位置の前にＬＢＴ（例えば、Ｃａｔ−４  ＬＢＴ）を行う。ＬＢＴに成功した場合、該ＰＲＡＣＨリソース位置でＰＲＡＣＨを送信してもよく、ＬＢＴに成功していない場合、次のＰＲＡＣＨリソース位置でＬＢＴを実行してもよい。
【手続補正６】
【補正対象書類名】明細書
【補正対象項目名】０１４９
【補正方法】変更
【補正の内容】
【０１４９】
選択肢として、第３伝送機会はＰＵＳＣＨ、ハイブリッド自動再送要求肯定応答（ＨＡＲＱ−ＡＣＫ）情報、ランダムアクセスプリアンブル、スケジューリング要求、サウンディング参照信号、チャネル状態情報のうちの少なくとも１つを伝送することに用いられる。
【手続補正７】
【補正対象書類名】明細書
【補正対象項目名】０１５５
【補正方法】変更
【補正の内容】
【０１５５】
選択肢として、本願の実施例では、前記第２伝送機会内に伝送されるチャネルがＰＤＳＣＨを含む場合、第３伝送機会内に伝送された情報は高優先度のチャネル又は信号を含む。前記第３伝送機会は、ハイブリッド自動再送要求肯定応答（ＨＡＲＱ−ＡＣＫ）情報、ランダムアクセスプリアンブル、スケジューリング要求、サウンディング参照信号、チャネル状態情報のうちの少なくとも１つを送信することに用いられる。
【手続補正８】
【補正対象書類名】明細書
【補正対象項目名】０１９８
【補正方法】変更
【補正の内容】
【０１９８】
４１０、非ライセンススペクトルにおける第１検出時間長さ内にチャネル検出を行い、前記第１検出時間長さは１６マイクロ秒を超えて２５マイクロ秒以下であり、前記第１検出時間長さは少なくとも１つの検出スロットを含み、前記検出スロットは前記第１検出時間長さの先端又は末端に位置する。ここで言及した検出はＣａｔ−２  ＬＢＴであってもよい。
【手続補正９】
【補正対象書類名】明細書
【補正対象項目名】０２０３
【補正方法】変更
【補正の内容】
【０２０３】
具体的に、同じＣＯＴ内の２回の伝送機会の間のギャップの大きさが可変である場合、通信装置はＣａｔ−２  ＬＢＴを使用してチャネル検出を行ってもよく、どのようにＣａｔ−２  ＬＢＴを使用してチャネル検出を行うかは、ギャップの大きさによって決定されてもよい。例えば、ギャップの大きさに基づいて、前記検出スロットの数、前記検出スロットの長さ及び前記検出スロットの位置のうちの少なくとも１つを決定してもよい。
【手続補正１０】
【補正対象書類名】明細書
【補正対象項目名】０２２３
【補正方法】変更
【補正の内容】
【０２２３】
選択肢として、本願の実施例では、前記第３伝送機会は、ハイブリッド自動再送要求肯定応答（ＨＡＲＱ−ＡＣＫ）情報、ランダムアクセスプリアンブル、スケジューリング要求、サウンディング参照信号、チャネル状態情報のうちの少なくとも１つを送信することに用いられる。
【手続補正１１】
【補正対象書類名】明細書
【補正対象項目名】０２６０
【補正方法】変更
【補正の内容】
【０２６０】
選択肢として、本願の実施例では、前記第３伝送機会は、ハイブリッド自動再送要求肯定応答（ＨＡＲＱ−ＡＣＫ）情報、ランダムアクセスプリアンブル、スケジューリング要求、サウンディング参照信号、チャネル状態情報のうちの少なくとも１つを送信することに用いられる。
【手続補正１２】
【補正対象書類名】特許請求の範囲
【補正対象項目名】全文
【補正方法】変更
【補正の内容】
【特許請求の範囲】
【請求項１】
非ライセンススペクトルのための無線通信方法であって、
第１端末装置が前記第１端末装置の取得したチャネル占有期間（ＣＯＴ）内の第１伝送機会で、ネットワーク装置に第１指示情報を送信することを含み、
前記第１伝送機会は設定されたライセンス物理アップリンク共有チャネル（ＣＧ−ＰＵＳＣＨ）を含み、前記ＣＧ−ＰＵＳＣＨにおけるアップリンク制御情報（ＵＣＩ）には前記第１指示情報が含まれ、前記第１指示情報は前記ＣＯＴ内の第２伝送機会を前記ネットワーク装置に共有するように前記第１端末装置に指示することに用いられ、
前記第２伝送機会の時間長さは第２プリセット時間長さ以下であり、前記第２伝送機会は前記ネットワーク装置により前記第１端末装置に伝送されたチャネルを含み、前記第２伝送機会内に伝送されるチャネルはユニキャストＰＤＳＣＨを含まないことを特徴とする非ライセンススペクトルのための無線通信方法。
【請求項２】
前記第２伝送機会は、初期アクセス過程における制御情報、ランダムアクセス過程における制御情報、モビリティ管理のための制御情報、ページングメッセージ、参照信号、端末装置特有の物理ダウンリンク制御チャネル（ＰＤＣＣＨ）、スイッチング命令、共有ＰＤＣＣＨ、ショートメッセージページング、同期信号ブロック（ＳＳＢ）、ダウンリンクフィードバック指示情報のうちの少なくとも１つを送信することに用いられることを特徴とする請求項１に記載の方法。
【請求項３】
前記第２伝送機会は前記ネットワーク装置により第２端末装置に伝送された伝送機会を含み、前記第１端末装置と前記第２端末装置は、同じ疑似コロケーション（ＱＣＬ）仮定を有することを特徴とする請求項１又は２に記載の方法。
【請求項４】
前記ＣＯＴ内に第３伝送機会が更に含まれ、前記第３伝送機会は、前記第１端末装置又は前記第２端末装置により前記ネットワーク装置に伝送されたチャネルを含むことを特徴とする請求項３に記載の方法。
【請求項５】
前記第１指示情報は、前記第１端末装置が前記ＣＯＴ内のリソースを共有するかどうかのこと、前記第２伝送機会のチャネルアクセススキーム、前記第２伝送機会の開始位置、前記第２伝送機会の長さ、前記第２伝送機会の終了位置、前記第１伝送機会の終了位置、前記ＣＯＴの終了位置又は残存長さ、前記第１伝送機会において伝送されるチャネル又は信号の同じ疑似コロケーション（ＱＣＬ）関係、前記第２伝送機会においての伝送対象のチャネル又は信号のＱＣＬ関係、前記第１伝送機会の終了位置と前記第２伝送機会の開始位置との間のギャップのうちの少なくとも１つを指示することに用いられることを特徴とする請求項１〜４のいずれか１項に記載の方法。
【請求項６】
前記第１指示情報は、前記第１端末装置が前記ＣＯＴ内のリソースを共有するかどうかを指示することに用いられ、
前記第１指示情報は１ビットの指示情報を含み、前記１ビットの指示情報が１を指示する場合、前記第１端末装置は前記ＣＯＴ内のリソースを共有し、前記１ビットの指示情報が０を指示する場合、前記第１端末装置は前記ＣＯＴ内のリソースを共有しないことを特徴とする請求項５に記載の方法。
【請求項７】
非ライセンススペクトルのための無線通信方法であって、
第１端末装置が前記第１端末装置の取得したチャネル占有期間（ＣＯＴ）内の第１伝送機会で、端末装置に第１指示情報を送信することを含み、
前記第１伝送機会は設定されたライセンス物理アップリンク共有チャネル（ＣＧ−ＰＵＳＣＨ）を含み、前記ＣＧ−ＰＵＳＣＨにおけるアップリンク制御情報（ＵＣＩ）には前記第１指示情報が含まれ、前記第１指示情報は前記ＣＯＴ内の第２伝送機会を前記ネットワーク装置に共有するように前記第１端末装置に指示することに用いられ、
前記第２伝送機会は前記ネットワーク装置により前記第１端末装置に伝送されたチャネルを含み、前記第２伝送機会内に伝送されるチャネルはユニキャストＰＤＳＣＨを含むことを特徴とする非ライセンススペクトルのための無線通信方法。
【請求項８】
前記第１指示情報は、前記第１端末装置が前記ＣＯＴ内のリソースを共有するかどうかのこと、前記第２伝送機会のチャネルアクセススキーム、前記第１伝送機会の終了位置、前記第２伝送機会の開始位置、前記第２伝送機会の長さ、前記第２伝送機会の終了位置、前記ＣＯＴの終了位置又は残存長さ、前記第１伝送機会において伝送されるチャネル又は信号の同じ疑似コロケーション（ＱＣＬ）関係、前記第２伝送機会においての伝送対象のチャネル又は信号のＱＣＬ関係、前記第１伝送機会の終了位置と前記第２伝送機会の開始位置との間のギャップのうちの少なくとも１つを指示することに用いられることを特徴とする請求項７に記載の方法。
【請求項９】
前記ＣＯＴ内に第３伝送機会が更に含まれ、前記第３伝送機会は、
ハイブリッド自動再送要求肯定応答（ＨＡＲＱ−ＡＣＫ）情報、ランダムアクセスプリアンブル、スケジューリング要求、サウンディング参照信号、チャネル状態情報のうちの少なくとも１つを送信することに用いられることを特徴とする請求項７又は８に記載の方法。
【請求項１０】
前記第１伝送機会内に伝送される情報は、前記第１端末装置に対してアップリンクデータスケジューリングを行うように前記ネットワーク装置に要求するための第２指示情報を更に含むことを特徴とする請求項７〜９のいずれか１項に記載の方法。
【請求項１１】
前記方法は更に、
前記ネットワーク装置から送信された、前記第１端末装置によるアップリンクデータ伝送をスケジューリングするための第３指示情報を、前記第１端末装置は前記第２伝送機会内に受信することを含むことを特徴とする請求項１０に記載の方法。
【請求項１２】
非ライセンススペクトルのための端末装置であって、
前記端末装置の取得したチャネル占有期間（ＣＯＴ）内の第１伝送機会でネットワーク装置に第１指示情報を送信することに用いられる通信ユニットを備え、
前記第１伝送機会は設定されたライセンス物理アップリンク共有チャネル（ＣＧ−ＰＵＳＣＨ）を含み、前記ＣＧ−ＰＵＳＣＨにおけるアップリンク制御情報（ＵＣＩ）には前記第１指示情報が含まれ、前記第１指示情報は前記ＣＯＴ内の第２伝送機会を前記ネットワーク装置に共有するように前記端末装置に指示することに用いられ、
前記第２伝送機会の時間長さは第２プリセット時間長さ以下であり、前記第２伝送機会は前記ネットワーク装置により前記端末装置に伝送されたチャネルを含み、前記第２伝送機会内に伝送されるチャネルはユニキャストＰＤＳＣＨを含まないことを特徴とする非ライセンススペクトルのための端末装置。
【請求項１３】
前記第２伝送機会は、初期アクセス過程における制御情報、ランダムアクセス過程における制御情報、モビリティ管理のための制御情報、ページングメッセージ、参照信号、端末装置特有の物理ダウンリンク制御チャネル（ＰＤＣＣＨ）、スイッチング命令、共有ＰＤＣＣＨ、ショートメッセージページング、同期信号ブロック（ＳＳＢ）、ダウンリンクフィードバック指示情報のうちの少なくとも１つを送信することに用いられることを特徴とする請求項１２に記載の端末装置。
【請求項１４】
前記第２伝送機会は前記ネットワーク装置によりもう１つの端末装置に伝送された伝送機会を含み、前記端末装置と前記もう１つの端末装置は、同じ疑似コロケーション（ＱＣＬ）仮定を有することを特徴とする請求項１２又は１３に記載の端末装置。
【請求項１５】
前記ＣＯＴ内に第３伝送機会が更に含まれ、前記第３伝送機会は、前記端末装置又は前記もう１つの端末装置により前記ネットワーク装置に伝送されたチャネルを含むことを特徴とする請求項１４に記載の端末装置。
【請求項１６】
前記第１指示情報は、前記端末装置が前記ＣＯＴ内のリソースを共有するかどうかのこと、前記第２伝送機会のチャネルアクセススキーム、前記第１伝送機会の終了位置、前記第２伝送機会の開始位置、前記第２伝送機会の長さ、前記第２伝送機会の終了位置、前記ＣＯＴの終了位置又は残存長さ、前記第１伝送機会において伝送されるチャネル又は信号の同じ疑似コロケーション（ＱＣＬ）関係、前記第２伝送機会においての伝送対象のチャネル又は信号のＱＣＬ関係、前記第１伝送機会の終了位置と前記第２伝送機会の開始位置との間のギャップのうちの少なくとも１つを指示することに用いられることを特徴とする請求項１２〜１４のいずれか１項に記載の端末装置。
【請求項１７】
前記第１指示情報は、前記端末装置が前記ＣＯＴ内のリソースを共有するかどうかを指示することに用いられ、
前記第１指示情報は１ビットの指示情報を含み、前記１ビットの指示情報が１を指示する場合、前記端末装置は前記ＣＯＴ内のリソースを共有し、前記１ビットの指示情報が０を指示する場合、前記端末装置は前記ＣＯＴ内のリソースを共有しないことを特徴とする請求項１６に記載の端末装置。
【請求項１８】
非ライセンススペクトルのための端末装置であって、
前記端末装置の取得したチャネル占有期間（ＣＯＴ）内の第１伝送機会でネットワーク装置に第１指示情報を送信することに用いられる通信ユニットを備え、
前記第１伝送機会は設定されたライセンス物理アップリンク共有チャネル（ＣＧ−ＰＵＳＣＨ）を含み、前記ＣＧ−ＰＵＳＣＨにおけるアップリンク制御情報（ＵＣＩ）には前記第１指示情報が含まれ、前記第１指示情報は前記ＣＯＴ内の第２伝送機会を前記ネットワーク装置に共有するように前記端末装置に指示することに用いられ、
前記第２伝送機会は前記ネットワーク装置により前記端末装置に伝送されたチャネルを含み、前記第２伝送機会内に伝送されるチャネルはユニキャストＰＤＳＣＨを含むことを特徴とする非ライセンススペクトルのための端末装置。
【請求項１９】
前記第１指示情報は、前記端末装置が前記ＣＯＴ内のリソースを共有するかどうかのこと、前記第２伝送機会のチャネルアクセススキーム、前記第１伝送機会の終了位置、前記第２伝送機会の開始位置、前記第２伝送機会の長さ、前記第２伝送機会の終了位置、前記ＣＯＴの終了位置又は残存長さ、前記第１伝送機会において伝送されるチャネル又は信号の同じ疑似コロケーション（ＱＣＬ関係）、前記第２伝送機会においての伝送対象のチャネル又は信号のＱＣＬ関係、前記第１伝送機会の終了位置と前記第２伝送機会の開始位置との間のギャップのうちの少なくとも１つを指示することに用いられることを特徴とする請求項１８に記載の端末装置。
【請求項２０】
前記ＣＯＴ内に第３伝送機会が更に含まれ、前記第３伝送機会は、
ハイブリッド自動再送要求肯定応答（ＨＡＲＱ−ＡＣＫ）情報、ランダムアクセスプリアンブル、スケジューリング要求、サウンディング参照信号、チャネル状態情報のうちの少なくとも１つを送信することに用いられることを特徴とする請求項１８又は１９に記載の端末装置。
【請求項２１】
前記第１伝送機会内に伝送される情報は、前記端末装置に対してアップリンクデータスケジューリングを行うように前記ネットワーク装置に要求するための第２指示情報を更に含むことを特徴とする請求項１８〜２０のいずれか１項に記載の端末装置。
【請求項２２】
前記ネットワーク装置から送信された、前記端末装置によるアップリンクデータ伝送をスケジューリングするための第３指示情報を、前記端末装置は前記通信ユニットによって前記第２伝送機会内に受信することを更に含むことを特徴とする請求項２１に記載の端末装置。
【国際調査報告】
2021523647.tif 000022
2021523647.tif 000023
2021523647.tif 000024
2021523647.tif 000025
2021523647.tif 000026
2021523647.tif 000027